(57)【要約】【課題】再送情報の受信品質を高める。【解決手段】受信装置１０は、制御部１１と受信部１３とを備える。制御部１１は、データの再送を要求するか否かを示す再送情報の符号化に用いられる直交系列と、上記再送情報の送信に割り当てられる無線リソースと、の組み合わせの総数に基づいて、複数の送信装置２０のそれぞれからのデータの受信に無線リソースを割り当てる。受信部１３は、上記割り当てられた無線リソースを用いて上記データを受信する。【選択図】図６
2016127439.tif 000002
【特許請求の範囲】
【請求項１】
データの再送を要求するか否かを示す再送情報の符号化に用いられる直交系列と、前記再送情報の送信に割り当てられる無線リソースと、の組み合わせの総数に基づいて、複数の送信装置のそれぞれからのデータの受信に無線リソースを割り当てる制御部と、
前記割り当てられた無線リソースを用いて前記データを受信する受信部と、
を備える、受信装置。
【請求項２】
請求項１に記載の受信装置であって、
前記変化量は、ある無線リソースを用いて送信される複数の再送情報のうちの任意の１つの符号化に用いられる直交系列が、前記複数の再送情報のうちの他の再送情報のそれぞれの符号化に用いられる直交系列に虚数単位を乗じた直交系列と異なるように決定される、受信装置。
【請求項３】
請求項１又は請求項２に記載の受信装置であって、
前記無線リソースは、連続する複数の整数によりそれぞれ識別される複数のリソースブロックを含み、
前記受信装置は、
前記複数のリソースブロックのうちの、前記データの受信に割り当てられる少なくとも１つのリソースブロックを識別する少なくとも１つの整数のうちの最小値と関連付けられた前記組み合わせを用いて、前記データに対する前記再送情報を送信する送信部を備え、
前記制御部は、
前記複数のリソースブロックのうちの、前記総数に基づいて決定される変化量を整数倍した値だけ、所定の基準値を変化させることにより得られる整数群の中から選択された整数を、最小値として含む少なくとも１つの整数によりそれぞれ識別される少なくとも１つのリソースブロックを前記データの受信に割り当てる、受信装置。
【請求項４】
請求項１乃至請求項３のいずれか一項に記載の受信装置であって、
前記変化量は、前記総数を２により除した値の因数と異なる整数である、受信装置。
【請求項５】
請求項１乃至請求項４のいずれか一項に記載の受信装置であって、
前記変化量は、前記総数を２により除した値の因数と異なる整数のうちの最小値である、受信装置。
【請求項６】
データの再送を要求するか否かを示す再送情報の符号化に用いられる直交系列と、前記再送情報の送信に割り当てられる無線リソースと、の組み合わせの総数に基づいて、複数の送信装置のそれぞれからのデータの受信に無線リソースを割り当て、
前記割り当てられた無線リソースを用いて前記データを受信する、受信方法。
【請求項７】
請求項６に記載の受信方法であって、
前記変化量は、ある無線リソースを用いて送信される複数の再送情報のうちの任意の１つの符号化に用いられる直交系列が、前記複数の再送情報のうちの他の再送情報のそれぞれの符号化に用いられる直交系列に虚数単位を乗じた直交系列と異なるように決定される、受信方法。
【請求項８】
請求項６又は請求項７に記載の受信方法であって、
前記無線リソースは、連続する複数の整数によりそれぞれ識別される複数のリソースブロックを含み、
前記複数のリソースブロックのうちの、前記データの受信に割り当てられる少なくとも１つのリソースブロックを識別する少なくとも１つの整数のうちの最小値と関連付けられた前記組み合わせを用いて、前記データに対する前記再送情報を送信し、
前記無線リソースの割り当てにおいて、
前記複数のリソースブロックのうちの、前記総数に基づいて決定される変化量を整数倍した値だけ、所定の基準値を変化させることにより得られる整数群の中から選択された整数を、最小値として含む少なくとも１つの整数によりそれぞれ識別される少なくとも１つのリソースブロックを前記データの受信に割り当てる、受信方法。
【請求項９】
請求項６乃至請求項８のいずれか一項に記載の受信方法であって、
前記変化量は、前記総数を２により除した値の因数と異なる整数である、受信方法。
【請求項１０】
請求項６乃至請求項９のいずれか一項に記載の受信方法であって、
前記変化量は、前記総数を２により除した値の因数と異なる整数のうちの最小値である、受信方法。
【請求項１１】
第１のデータの再送を要求するか否かを示すとともに無線リソースを用いて送信される第１の再送情報の符号化に用いられる第１の直交系列が、第２のデータの再送を要求するか否かを示すとともに前記無線リソースを用いて送信される第２の再送情報の符号化に用いられる第２の直交系列に虚数単位を乗じた直交系列と一致するＩＱ多重が発生する場合、前記ＩＱ多重の発生の基となる複数の再送情報のそれぞれに対する、前記再送情報の送信に使用可能な直交系列及び無線リソースの組み合わせとして所定の規則に従って定められた前記組み合わせのうちの前記ＩＱ多重が発生しない前記組み合わせの数である候補数に基づいて、前記再送情報の送信に用いられる前記組み合わせを変更する制御部と、
前記変更された前記組み合わせを用いて前記再送情報を送信する送信部と、
を備える、受信装置。
【請求項１２】
請求項１１に記載の受信装置であって、
前記制御部は、
前記ＩＱ多重の発生の基となる前記複数の再送情報の中で、前記候補数が少ない再送情報から順に、再送情報の送信に用いられる前記組み合わせを、前記再送情報の送信に使用可能な前記組み合わせとして前記規則に従って定められた前記組み合わせのうちの前記ＩＱ多重が発生しない前記組み合わせに変更する、受信装置。
【請求項１３】
請求項１１又は請求項１２に記載の受信装置であって、
前記制御部は、
前記ＩＱ多重の発生の基となる前記複数の再送情報のうちの第３の再送情報に対する前記候補数が０である場合、前記第３の再送情報の送信に使用可能な前記組み合わせとして前記規則に従って定められた前記組み合わせのうちの第１の組み合わせを選択し、
前記選択した第１の組み合わせを用いて再送情報が送信されるという仮定下で前記再送情報とともに前記ＩＱ多重を発生する基となる第４の再送情報、又は、前記選択した第１の組み合わせを用いて送信される第４の再送情報の送信に使用可能な前記組み合わせとして前記規則に従って定められた前記組み合わせのうちの前記ＩＱ多重が発生しない第２の組み合わせに、前記第４の再送情報の送信に用いられる前記組み合わせを変更し、且つ、
前記第３の再送情報の送信に用いられる前記組み合わせを前記第１の組み合わせに変更する、受信装置。
【請求項１４】
請求項１１乃至請求項１３のいずれか一項に記載の受信装置であって、
前記制御部は、
前記ＩＱ多重の発生の基となる前記複数の再送情報のうちの第５の再送情報に対する前記候補数が０である場合、前記第５の再送情報の送信に使用可能な前記組み合わせとして前記規則に従って定められた、少なくとも１つの前記組み合わせのそれぞれに対して、前記組み合わせを用いて再送情報が送信されるという仮定下で前記再送情報とともに前記ＩＱ多重を発生する基となる再送情報の送信電力と、前記第５の再送情報の送信電力と、の差である送信電力差を取得し、前記第５の再送情報の送信に用いられる前記組み合わせを、前記少なくとも１つの組み合わせのうちの、前記取得された送信電力差が最小である前記組み合わせに変更する、受信装置。
【請求項１５】
第１のデータの再送を要求するか否かを示すとともに無線リソースを用いて送信される第１の再送情報の符号化に用いられる第１の直交系列が、第２のデータの再送を要求するか否かを示すとともに前記無線リソースを用いて送信される第２の再送情報の符号化に用いられる第２の直交系列に虚数単位を乗じた直交系列と一致するＩＱ多重が発生する場合、前記ＩＱ多重の発生の基となる複数の再送情報のそれぞれに対する、前記再送情報の送信に使用可能な直交系列及び無線リソースの組み合わせとして所定の規則に従って定められた前記組み合わせのうちの前記ＩＱ多重が発生しない前記組み合わせの数である候補数に基づいて、前記再送情報の送信に用いられる前記組み合わせを変更し、
前記変更された前記組み合わせを用いて前記再送情報を送信する、受信方法。
【請求項１６】
請求項１５に記載の受信方法であって、
前記組み合わせの変更において、
前記ＩＱ多重の発生の基となる前記複数の再送情報の中で、前記候補数が少ない再送情報から順に、再送情報の送信に用いられる前記組み合わせを、前記再送情報の送信に使用可能な前記組み合わせとして前記規則に従って定められた前記組み合わせのうちの前記ＩＱ多重が発生しない前記組み合わせに変更する、受信方法。
【請求項１７】
請求項１５又は請求項１６に記載の受信方法であって、
前記組み合わせの変更において、
前記ＩＱ多重の発生の基となる前記複数の再送情報のうちの第３の再送情報に対する前記候補数が０である場合、前記第３の再送情報の送信に使用可能な前記組み合わせとして前記規則に従って定められた前記組み合わせのうちの第１の組み合わせを選択し、
前記選択した第１の組み合わせを用いて再送情報が送信されるという仮定下で前記再送情報とともに前記ＩＱ多重を発生する基となる第４の再送情報、又は、前記選択した第１の組み合わせを用いて送信される第４の再送情報の送信に使用可能な前記組み合わせとして前記規則に従って定められた前記組み合わせのうちの前記ＩＱ多重が発生しない第２の組み合わせに、前記第４の再送情報の送信に用いられる前記組み合わせを変更し、且つ、
前記第３の再送情報の送信に用いられる前記組み合わせを前記第１の組み合わせに変更する、受信方法。
【請求項１８】
請求項１５乃至請求項１７のいずれか一項に記載の受信方法であって、
前記組み合わせの変更において、
前記ＩＱ多重の発生の基となる前記複数の再送情報のうちの第５の再送情報に対する前記候補数が０である場合、前記第５の再送情報の送信に使用可能な前記組み合わせとして前記規則に従って定められた、少なくとも１つの前記組み合わせのそれぞれに対して、前記組み合わせを用いて再送情報が送信されるという仮定下で前記再送情報とともに前記ＩＱ多重を発生する基となる再送情報の送信電力と、前記第５の再送情報の送信電力と、の差である送信電力差を取得し、前記第５の再送情報の送信に用いられる前記組み合わせを、前記少なくとも１つの組み合わせのうちの、前記取得された送信電力差が最小である前記組み合わせに変更する、受信方法。
【発明の詳細な説明】
【技術分野】
【０００１】
本発明は、受信装置、及び、受信方法に関する。
【背景技術】
【０００２】
基地局と無線機器とが無線により通信を行なう無線通信システムが知られている（例えば、特許文献１乃至４、及び、非特許文献１乃至３を参照）。例えば、無線通信システムは、ＬＴＥ方式に従って通信を行なう。ＬＴＥは、Ｌｏｎｇ  Ｔｅｒｍ  Ｅｖｏｌｕｔｉｏｎの略記である。
【０００３】
ＬＴＥ方式において、基地局は、無線機器からのデータ（例えば、トランスポートブロック）の受信に、ＰＵＳＣＨにおける無線リソースを割り当てる。ＰＵＳＣＨは、Ｐｈｙｓｉｃａｌ  Ｕｐｌｉｎｋ  Ｓｈａｒｅｄ  Ｃｈａｎｎｅｌの略記である。
【０００４】
図１に示すように、無線機器９０１は、ＰＵＳＣＨにて割り当てられた無線リソースを用いてデータを送信する。基地局９０２は、割り当てた無線リソースを用いて無線機器９０１からのデータを受信する。基地局９０２は、無線機器９０１からのデータの再送を要求するか否かを示す再送情報を、ＰＨＩＣＨにおける無線リソースを用いて無線機器９０１へ送信する。ＰＨＩＣＨは、Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌの略記である。再送情報は、ＡＣＫ（Ａｃｋｎｏｗｌｅｄｇｅｍｅｎｔ）又はＮＡＣＫ（Ｎｅｇａｔｉｖｅ  Ａｃｋｎｏｗｌｅｄｇｅｍｅｎｔ）を表す。
【０００５】
再送情報は、直交系列を用いて符号化されることにより、複数の変調シンボルとして送信される。基地局９０２は、再送情報の符号化に用いる直交系列として、図２に示すように、８つの異なる直交系列を用いる。再送情報の符号化に用いられる直交系列は、直交系列番号により識別される。
【０００６】
８つの直交系列は、要素が実数である４つの直交系列（直交系列番号が０及び３の間の値である直交系列）と、要素が虚数である４つの直交系列（直交系列番号が４及び７の間の値である直交系列）と、からなる。
【０００７】
要素が実数である４つの直交系列は、長さが４であるＷａｌｓｈ符号である。要素が虚数である４つの直交系列は、長さが４であるＷａｌｓｈ符号に虚数単位ｊを乗じた符号である。要素が実数である４つの直交系列は、第１の直交系列群を形成する。要素が虚数である４つの直交系列は、第２の直交系列群を形成する。
【０００８】
第１の直交系列群又は第２の直交系列群のうちの一方のみが用いられる場合、共通する無線リソースを使用可能な再送情報の数は、４つである。また、第１の直交系列群及び第２の直交系列群の両方が用いられる場合、共通する無線リソースを使用可能な再送情報の数は、８つである。
【０００９】
ＬＴＥ方式において、再送情報の送信に割り当てられる無線リソースと、再送情報の符号化に用いられる直交系列と、の組み合わせは、最小ＲＢ番号と関連付けて予め定められている。最小ＲＢ番号は、データの受信に割り当てられた無線リソースに含まれるリソースブロック（ＲＢ）を識別するＲＢ番号の最小値である。ＲＢは、Ｒｅｓｏｕｒｃｅ  Ｂｌｏｃｋの略記である。最小ＲＢ番号は、Ｌｏｗｅｓｔ  ＲＢ  Ｉｎｄｅｘと表されてよい。
【００１０】
ＬＴＥ方式において、再送情報の送信に割り当てられる無線リソースは、ＰＨＩＣＨグループ番号により識別される。ＰＨＩＣＨグループ番号ｎｇｒｏｕｐＰＨＩＣＨ、及び、直交系列番号ｎｓｅｑＰＨＩＣＨの組み合わせと、最小ＲＢ番号Ｉｌｏｗｅｓｔ＿ｉｎｄｅｘＰＲＢ＿ＲＡと、の関連付けは、下記数式１及び数式２により表される。ＩＰＲＢ＿ＲＡは、Ｉｌｏｗｅｓｔ＿ｉｎｄｅｘＰＲＢ＿ＲＡ、又は、Ｉｌｏｗｅｓｔ＿ｉｎｄｅｘＰＲＢ＿ＲＡ＋１である。ｎＤＭＲＳは、ＤＭＲＳに対する循環シフト（ｃｙｃｌｉｃ  ｓｈｉｆｔ）に関連付けられたパラメータを表し、０から７までの値を有する。ＤＭＲＳは、Ｄｅｍｏｄｕｌａｔｉｏｎ  Ｒｅｆｅｒｅｎｃｅ  Ｓｉｇｎａｌの略記である。ＩＰＨＩＣＨは、予め定められたパラメータを表し、０又は１の値を有する。ＮｇｒｏｕｐＰＨＩＣＨは、ＰＨＩＣＨグループの数を表す。ＮＰＨＩＣＨＳＦは、直交系列の数を２により除した値を表し、４である。
【数１】
2016127439.tif 000003
【数２】
2016127439.tif 000004
【００１１】
図３は、上記数式１及び数式２により表される関連付けの一例を示す。例えば、図３に示すように、ある無線機器からのデータの受信に、ＲＢ番号が１２から１８までのＲＢ９０３が連続的に割り当てられた場合、最小ＲＢ番号である１２と関連付けられた、ＰＨＩＣＨグループ番号及び直交系列番号は、それぞれ、５及び１である。
【００１２】
無線機器及び基地局は、上記関連付けを予め共有する。従って、再送情報の送信に用いられる上記組み合わせを示す情報を、基地局から無線機器へ通知せずに、無線機器は、自身に対する再送情報を正しく受信できる。従って、再送情報の送信に用いられる上記組み合わせを示す情報の送信に無線リソースが使用されないので、無線リソースの使用効率を高めることができる。無線リソースの使用効率は、無線通信システムにおいて使用可能な無線リソースの量に対する、通信に割り当てられる無線リソースの量の割合である。
【先行技術文献】
【特許文献】
【００１３】
【特許文献１】特開２０１０−２１２８５５号公報
【特許文献２】特開２００９−１６４９７６号公報
【特許文献３】特開２０１３−９４２７号公報
【特許文献４】特表２０１１−５１７８９２号公報
【非特許文献】
【００１４】
【非特許文献１】３ＧＰＰ  ＴＳ  ３６．２１３  Ｖ１０．１２．０、２０１４年３月、９．１．２「ＰＨＩＣＨ  Ａｓｓｉｇｎｍｅｎｔ  Ｐｒｏｃｅｄｕｒｅ」
【非特許文献２】３ＧＰＰ  ＴＳ  ３６．２１１  Ｖ１０．７．０、２０１３年２月、６．９「Ｐｈｙｓｉｃａｌ  ｈｙｂｒｉｄ  ＡＲＱ  ｉｎｄｉｃａｔｏｒ  ｃｈａｎｎｅｌ」
【非特許文献３】「Ｐｅｒｆｏｒｍａｎｃｅ  Ｅｖａｌｕａｔｉｏｎ  ｏｎ  ＰＨＩＣＨ  ｉｎ  Ｅ−ＵＴＲＡ」、３ＧＰＰ  Ｒ１−０８０２４７、ＮＴＴ  ＤｏＣｏＭｏ、２００８年１月
【発明の概要】
【発明が解決しようとする課題】
【００１５】
ところで、ＩＱ多重が発生する場合、再送情報の受信品質が低下することがある。ＩＱ多重は、共通する無線リソースを用いて送信される２つの再送情報の符号化に用いられる２つの直交系列のうちの一方が、他方に虚数単位を乗じた直交系列と一致することである。
【００１６】
例えば、図４に示すように、ＩＱ多重が発生する基となる第１の再送情報の送信電力Ｐ１が、ＩＱ多重が発生する基となる第２の再送情報の送信電力Ｐ２よりも小さい場合を想定する。第１の再送情報は、第１の直交系列を用いて送信される。第２の再送情報は、第１の直交系列に虚数単位を乗じた直交系列である第２の直交系列を用いて送信される。
【００１７】
通信チャネルの推定精度が十分に高い場合において、受信信号に対して、第１の直交系列を用いて復号化を行なった場合、図４の（Ａ）に示すように、第２の再送情報に起因する信号成分は、第１の再送情報を表す信号として検出されにくい。従って、この場合、再送情報の受信品質は十分に高い。
【００１８】
一方、通信チャネルの推定精度が十分に高くない場合にて、受信信号に対して、第１の直交系列を用いて復号化を行なった場合、図４の（Ｂ）に示すように、第２の再送情報に起因する信号成分の一部が、第１の再送情報を表す信号として誤って検出されやすい。従って、この場合、再送情報の受信品質は低下しやすい。
【００１９】
一つの側面として、本発明の目的の一つは、再送情報の受信品質を高めることにある。
【課題を解決するための手段】
【００２０】
一つの側面では、受信装置は、制御部と受信部とを備える。
制御部は、データの再送を要求するか否かを示す再送情報の符号化に用いられる直交系列と、上記再送情報の送信に割り当てられる無線リソースと、の組み合わせの総数に基づいて、複数の送信装置のそれぞれからのデータの受信に無線リソースを割り当てる。
受信部は、上記割り当てられた無線リソースを用いて上記データを受信する。
【００２１】
他の一つの側面では、受信装置は、制御部と送信部とを備える。
制御部は、ＩＱ多重が発生する場合、ＩＱ多重の発生の基となる複数の再送情報のそれぞれに対する候補数に基づいて、上記再送情報の送信に用いられる、直交系列及び無線リソースの組み合わせを変更する。
【００２２】
ＩＱ多重は、第１のデータに対する第１の再送情報の符号化に用いられる第１の直交系列が、第２のデータに対する第２の再送情報の符号化に用いられる第２の直交系列に虚数単位を乗じた直交系列と一致することを表す。再送情報は、データの再送を要求するか否かを示すとともに無線リソースを用いて送信される。候補数は、再送情報の送信に使用可能な直交系列及び無線リソースの組み合わせとして所定の規則に従って定められた上記組み合わせのうちのＩＱ多重が発生しない上記組み合わせの数である。
送信部は、上記変更された上記組み合わせを用いて上記再送情報を送信する。
【発明の効果】
【００２３】
再送情報の受信品質を高める。
【図面の簡単な説明】
【００２４】
【図１】上りリンクの通信に対する再送制御の一例を表す説明図である。
【図２】再送情報の符号化に用いられる直交符号の一例を表すテーブルである。
【図３】最小ＲＢ番号と、ＰＨＩＣＨグループ番号及び直交系列番号と、の関連付けの一例を表す説明図である。
【図４】ＩＱ多重が発生する場合における再送情報の送信電力と受信品質との関係を概念的に表す説明図である。
【図５】第１実施形態の無線通信システムの構成の一例を表すブロック図である。
【図６】図５の基地局及び無線機器の構成の一例を表すブロック図である。
【図７】無線リソースの割り当ての一例を表す説明図である。
【図８】図５の基地局が用いる複数の割当ＲＢ候補の一例を表す説明図である。
【図９】無線リソースの割り当ての一例を表す説明図である。
【図１０】図５の基地局が実行する処理の一例を表すフローチャートである。
【図１１】第２実施形態の基地局及び無線機器の構成の一例を表すブロック図である。
【図１２】図１１の基地局による、無線リソース及び直交符号の組み合わせの変更の一例を概念的に表す説明図である。
【図１３】図１１の基地局が実行する処理の一例を表すフローチャートである。
【図１４】第２実施形態の第１変形例の基地局による、無線リソース及び直交符号の組み合わせの変更の一例を概念的に表す説明図である。
【図１５】第２実施形態の第１変形例の基地局による、無線リソース及び直交符号の組み合わせの変更の一例を概念的に表す説明図である。
【図１６】第２実施形態の第１変形例の基地局による、無線リソース及び直交符号の組み合わせの変更の一例を概念的に表す説明図である。
【図１７】第２実施形態の第１変形例の基地局による、無線リソース及び直交符号の組み合わせの変更の一例を概念的に表す説明図である。
【図１８】第２実施形態の第１変形例の基地局が実行する処理の一例を表すフローチャートである。
【図１９】第２実施形態の第２変形例の基地局による、無線リソース及び直交符号の組み合わせの変更の一例を概念的に表す説明図である。
【図２０】第２実施形態の第２変形例の基地局が実行する処理の一例を表すフローチャートである。
【発明を実施するための形態】
【００２５】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００２６】
＜第１実施形態＞
ＩＱ多重の発生を抑制するために、無線通信システムは、第１の直交系列群、又は、第２の直交系列群の一方のみを用いることがある（例えば、特許文献１乃至４、及び、非特許文献１乃至３を参照）。しかしながら、この場合、ある無線リソースを用いて送信可能な再送情報の数が減少する。
【００２７】
また、ＩＱ多重が発生する場合、ＩＱ多重が発生する基となる再送情報に用いられる、ＰＨＩＣＨグループ番号、及び、直交系列番号の組み合わせを、上記数式１及び数式２におけるパラメータｎＤＭＲＳを変更することにより、変更することが考えられる。これにより、ＩＱ多重の発生を抑制できる。
【００２８】
しかしながら、パラメータｎＤＭＲＳは、３ビットの情報である。従って、パラメータｎＤＭＲＳの情報量と、上記数式１及び数式２と、によって、再送情報の送信に使用可能な組み合わせは、特定の組み合わせに限られている。このため、再送情報に対して、ＩＱ多重を発生しない、使用可能な組み合わせが存在しないことがある。また、上記組み合わせを変更しても、新たにＩＱ多重が発生することにより、ＩＱ多重の発生を回避できないことがある。
【００２９】
そこで、一つの側面として、第１実施形態の無線通信システムは、ＩＱ多重の発生を回避することを目的とする。
【００３０】
（構成）
図５に例示するように、第１実施形態の無線通信システム１は、例示的に、Ｍ個の基地局１０−１，…，１０−Ｍと、Ｎ個の無線機器２０−１，…，２０−Ｎと、を備える。
【００３１】
本例では、Ｍは、１以上の整数を表す。基地局１０−ｍは、基地局１０と表されてよい。ｍは、１からＭの整数を表す。本例では、Ｎは、１以上の整数を表す。無線機器２０−ｎは、無線機器２０と表されてよい。ｎは、１からＮの整数を表す。
【００３２】
無線通信システム１は、基地局１０と無線機器２０との間で、所定の無線通信方式に従った無線通信を行なう。例えば、無線通信方式は、ＬＴＥ（Ｌｏｎｇ  Ｔｅｒｍ  Ｅｖｏｌｕｔｉｏｎ）方式である。なお、無線通信方式は、ＬＴＥ方式と異なる方式（例えば、ＬＴＥ−Ａｄｖａｎｃｅｄ、又は、ＷｉＭＡＸ等の方式）であってもよい。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。
【００３３】
基地局１０は、無線エリアを形成する。なお、基地局１０は、複数の無線エリアを形成してもよい。無線エリアは、カバレッジ・エリア、又は、通信エリアと表されてもよい。例えば、無線エリアは、マクロセル、マイクロセル、ナノセル、ピコセル、フェムトセル、ホームセル、スモールセル、又は、セクタセル等のセルと表されてよい。基地局１０は、基地局１０が形成する無線エリア内に位置する無線機器２０と無線通信を行なう。
【００３４】
基地局１０は、通信回線を介して通信可能に通信網（例えば、コアネットワーク）ＮＷに接続されている。基地局１０と通信網ＮＷとの間のインタフェースは、Ｓ１インタフェースと表されてもよい。また、基地局１０間のインタフェースは、Ｘ２インタフェースと表されてもよい。
【００３５】
無線通信システム１のうちの基地局１０よりも通信網（即ち、上位）ＮＷ側の部分は、ＥＰＣと表されてもよい。ＥＰＣは、Ｅｖｏｌｖｅｄ  Ｐａｃｋｅｔ  Ｃｏｒｅの略記である。無線通信システム１のうちの基地局１０により形成される部分は、Ｅ−ＵＴＲＡＮと表されてもよい。Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００３６】
無線機器２０は、無線機器２０が位置する無線エリアにおいて提供されている無線リソースを用いて、当該無線エリアを形成する基地局１０と無線通信を行なう。なお、無線機器２０は、無線端末、無線装置、移動局、移動端末、端末装置、又は、ユーザ端末（ＵＥ；Ｕｓｅｒ  Ｅｑｕｉｐｍｅｎｔ）と表されてもよい。例えば、無線機器２０は、携帯電話機、スマートフォン、センサ、又は、メータ（測定器）等である。無線機器２０は、ユーザによって携帯されていてもよいし、車両等の移動体に搭載されていてもよいし、固定されていてもよい。
【００３７】
本例では、基地局１０から無線機器２０へ送信される無線信号は、下りリンクにおける無線信号と表される。また、本例では、無線機器２０から基地局１０へ送信される無線信号は、上りリンクにおける無線信号と表される。
【００３８】
図６に例示するように、基地局１０は、例示的に、制御部１１と送信部１２と受信部１３とを備える。基地局１０は、受信装置の一例である。
【００３９】
本例では、上述したように、ＰＨＩＣＨグループ番号及び直交系列番号の組み合わせと、最小ＲＢ番号と、の関連付けは、上記数式１及び数式２により表される。換言すると、ＰＨＩＣＨグループ番号及び直交系列番号の組み合わせと、最小ＲＢ番号と、の関連付けは、最小ＲＢ番号の増加に伴って、上記組み合わせに含まれるＰＨＩＣＨグループ番号及び直交系列番号が順に変化するように定められている。
【００４０】
制御部１１は、上記数式１及び数式２により表される、ＰＨＩＣＨグループ番号及び直交系列番号の組み合わせと、最小ＲＢ番号と、の関連付けを予め記憶する。
制御部１１は、基地局１０が形成する無線エリアに位置する複数の無線機器２０の中から無線機器２０を選択し、選択した無線機器２０からのデータの受信に、ＰＵＳＣＨにおける無線リソース（本例では、ＲＢ）を割り当てる。ＰＵＳＣＨにおける無線リソースの割り当てについては、後述する。
【００４１】
本例では、ＯＦＤＭにおける１つのサブキャリアの、１つのＯＦＤＭシンボルの時間に対応する無線リソースは、ＲＥ（Ｒｅｓｏｕｒｃｅ  Ｅｌｅｍｅｎｔ）と表される。ＯＦＤＭは、Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇの略記である。換言すると、無線リソースは、時間及び周波数の組み合わせが互いに異なる複数のＲＥを含む。
【００４２】
本例では、時間軸に沿って連続する７個のＲＥに対応する期間は、スロットと表される。また、時間軸に沿って連続する２つのスロットは、１つのサブフレームを形成する。本例では、ＲＢは、時間軸において１つのスロットに含まれるＲＥのうちの、周波数軸に沿って連続する１２個のサブキャリアに対応するＲＥからなる。従って、本例では、１つのＲＢは、８４（＝１２×７）個のＲＥからなる。
【００４３】
制御部１１は、ＰＵＳＣＨにおける無線リソースを用いてデータが受信された場合、当該受信に割り当てられた無線リソースに対する最小ＲＢ番号と、記憶されている関連付けと、に基づいて、ＰＨＩＣＨグループ番号及び直交系列番号の組み合わせを取得する。
【００４４】
送信部１２は、送信アンテナ１２ａを備え、送信アンテナ１２ａを介して無線機器２０へ無線信号を送信する。送信部１２が備える送信アンテナの数は、２つ以上であってもよい。
送信部１２は、制御部１１により割り当てられた、ＰＵＳＣＨにおける無線リソースを識別する割当情報を無線機器２０へ送信する。例えば、割当情報は、ＰＤＣＣＨにおける無線リソースを用いて送信される。ＰＤＣＣＨは、Ｐｈｙｓｉｃａｌ  Ｄｏｗｎｌｉｎｋ  Ｃｏｎｔｒｏｌ  Ｃｈａｎｎｅｌの略記である。割当情報は、ＵＬ  Ｓｃｈｅｄｕｌｉｎｇ  Ｇｒａｎｔと表されてよい。
【００４５】
送信部１２は、ＰＵＳＣＨにおける無線リソースを用いてデータが受信された場合、当該データの送信元の無線機器２０へ再送情報を送信する。本例では、再送情報は、ＰＨＩＣＨにおける無線リソースを用いて送信される。再送情報は、当該データの受信に割り当てられた無線リソースに対して、制御部１１により取得されたＰＨＩＣＨグループ番号及び直交系列番号を用いて送信される。
【００４６】
再送情報は、データが正しく受信されたと受信部１３により判定された場合、ＡＣＫを表す情報であり、データが正しく受信されなかったと受信部１３により判定された場合、ＮＡＣＫを表す情報である。
【００４７】
再送情報は、直交系列を用いて符号化されることにより、複数の変調シンボルとして送信される。本例では、再送情報の符号化に用いられる直交系列は、図２に示すように、８つの異なる直交系列から選択される。再送情報の符号化に用いられる直交系列は、直交系列番号により識別される。
【００４８】
本例では、上述したように、直交系列番号がｐである直交系列は、長さが４であるＷａｌｓｈ符号である。ｐは、０から３の整数を表す。直交系列番号がｐ＋４である直交系列は、直交系列番号がｐである直交系列に虚数単位ｊを乗じた符号である。
【００４９】
再送情報は、ＰＨＩＣＨにおける無線リソースのうちの、ＰＨＩＣＨグループ番号に関連付けて予め定められた無線リソースを用いて送信される。本例では、ＰＨＩＣＨグループ番号に関連付けて予め定められた無線リソースは、周波数軸に沿って互いに隔てられた３つのＲＥ群からなる。各ＲＥ群は、周波数軸に沿って連続する４つのＲＥからなる。
【００５０】
このようにして、送信部１２は、データの受信に割り当てられる無線リソースに対する最小ＲＢ番号と関連付けられた、ＰＨＩＣＨグループ番号及び直交系列番号を用いて、当該データに対する再送情報を送信する。
【００５１】
受信部１３は、受信アンテナ１３ａを備え、受信アンテナ１３ａを介して無線機器２０から無線信号を受信する。受信部１３が備える受信アンテナの数は、２つ以上であってもよい。
【００５２】
受信部１３は、制御部１１により無線機器２０に対して割り当てられた、ＰＵＳＣＨにおける無線リソースを用いて、当該無線機器２０からのデータを受信する。例えば、無線機器２０からのデータは、新たに送信されたデータ、又は、再送されたデータである。
受信部１３は、無線機器２０からのデータが受信された場合、データが正しく受信されたか否かを判定する。例えば、受信部１３は、誤り訂正符号に基づく誤り訂正処理を行なうことにより、データが正しく受信されたか否かを判定してよい。
【００５３】
なお、基地局１０は、送信アンテナ１２ａ及び受信アンテナ１３ａに代えて、アンテナと、アンテナを送信と受信とで共用する共用器と、を備えていてもよい。
【００５４】
図６に例示するように、無線機器２０は、例示的に、制御部２１と受信部２２と送信部２３とを備える。無線機器２０は、送信装置の一例である。
【００５５】
制御部２１は、上記数式１及び数式２により表される、ＰＨＩＣＨグループ番号及び直交系列番号の組み合わせと、最小ＲＢ番号と、の関連付けを予め記憶する。
制御部２１は、基地局１０から割当情報が受信された場合、当該割当情報により識別される、ＰＵＳＣＨにおける無線リソースに対する最小ＲＢ番号と、記憶されている関連付けと、に基づいて、ＰＨＩＣＨグループ番号及び直交系列番号の組み合わせを取得する。
【００５６】
制御部２１は、基地局１０から再送情報が受信された場合、当該再送情報に基づいて送信部２３により送信されるデータを制御する。制御部２１は、再送情報がＡＣＫを表す場合、初めて送信される（換言すると、未だ送信されていない）データ（換言すると、未送信データ）を送信するように送信部２３を制御する。制御部２１は、再送情報がＮＡＣＫを表す場合、過去に送信された（換言すると、既に送信された）データ（換言すると、既送信データ）を再送するように送信部２３を制御する。
【００５７】
受信部２２は、受信アンテナ２２ａを備え、受信アンテナ２２ａを介して基地局１０から無線信号を受信する。受信部２２が備える受信アンテナの数は、２つ以上であってもよい。
【００５８】
本例では、受信部２２は、割当情報と再送情報とを受信する。再送情報は、割当情報により識別される無線リソースに対して、制御部２１により取得されたＰＨＩＣＨグループ番号及び直交系列番号を用いて受信される。再送情報は、ＰＨＩＣＨにおける無線リソースのうちの、ＰＨＩＣＨグループ番号に関連付けて予め定められた無線リソースを用いて受信される。再送情報は、直交系列番号により識別される直交系列を用いて復号される。
【００５９】
送信部２３は、送信アンテナ２３ａを備え、送信アンテナ２３ａを介して基地局１０へ無線信号を送信する。送信部２３が備える送信アンテナの数は、２つ以上であってもよい。
送信部２３は、基地局１０から割当情報が受信された場合、当該割当情報により識別される、ＰＵＳＣＨにおける無線リソースを用いて、データを基地局１０へ送信する。
【００６０】
送信部２３は、再送情報に基づく制御部２１の制御に従って、送信するデータを選択する。本例では、上述したように、送信部２３は、再送情報がＡＣＫを表す場合、未送信データを送信し、再送情報がＮＡＣＫを表す場合、既送信データを再送する。
【００６１】
なお、無線機器２０は、送信アンテナ２３ａ及び受信アンテナ２２ａに代えて、アンテナと、アンテナを送信と受信とで共用する共用器と、を備えていてもよい。
【００６２】
次に、ＰＵＳＣＨにおける無線リソースの割り当てについて説明を加える。
本例では、ＰＨＩＣＨグループの数ＮｇｒｏｕｐＰＨＩＣＨは、下記数式３により表される。Ｎｇは、予め定められたパラメータを表し、１／６、１／２、１、又は、２の値を有する。ＮＤＬＲＢは、下りリンクにおける無線信号の各スロットに含まれるＲＢの数（換言すると、システム帯域幅に対応するＲＢの数）を表す。
【数３】
2016127439.tif 000005
【００６３】
本例では、システム帯域幅が１０ＭＨｚであり、パラメータＮｇの値が１である場合を想定する。この場合、ＰＨＩＣＨグループの数ＮｇｒｏｕｐＰＨＩＣＨは、７である。なお、システム帯域幅は、１０ＭＨｚと異なってよい。また、パラメータＮｇの値は、１と異なってよい。
【００６４】
本例では、各スロットに含まれる複数のＲＢをそれぞれ識別する複数のＲＢ番号は、０以上の連続する複数の整数である。
図７は、上記数式１及び数式２により表される、ＰＨＩＣＨグループ番号及び直交系列番号の組み合わせと、最小ＲＢ番号と、の関連付けの一例を示す。
【００６５】
本例では、ＲＢ番号が、０から２まで、及び、４７から４９までのＲＢが、ＰＵＳＣＨにおける無線リソースとして使用されない場合を想定する。ＲＢ番号が、０から２まで、及び、４７から４９までのＲＢは、ガードＲＢと表されてよい。
従って、本例において、ＲＢ番号が３から４６までのＲＢは、ＰＵＳＣＨにおける無線リソースとして使用可能である。
【００６６】
図７に示すように、仮に、無線機器２０−１からのデータの受信に、ＲＢ番号が１０から１３までのＲＢ１０１が割り当てられるとともに、無線機器２０−２からのデータの受信に、ＲＢ番号が３８から４０までのＲＢ１０２が割り当てられた場合を想定する。
【００６７】
この場合、ＲＢ１０１に対する最小ＲＢ番号は、１０であり、ＲＢ１０２に対する最小ＲＢ番号は、３８である。最小ＲＢ番号としての１０と関連付けられた、ＰＨＩＣＨグループ番号、及び、直交系列番号は、それぞれ、３及び１である。また、最小ＲＢ番号としての３８と関連付けられた、ＰＨＩＣＨグループ番号、及び、直交系列番号は、それぞれ、３及び５である。
【００６８】
従って、この場合、ＲＢ１０１に対する再送情報、及び、ＲＢ１０２に対する再送情報は、同一のＰＨＩＣＨグループ番号に関連付けられた同一の無線リソースを用いて送信される。更に、ＲＢ１０２に対する再送情報の符号化に用いられる直交系列は、ＲＢ１０１に対する再送情報の符号化に用いられる直交系列に虚数単位を乗じた直交系列と一致する。従って、ＲＢ１０１に対する再送情報、及び、ＲＢ１０２に対する再送情報の間で、ＩＱ多重が発生する。
【００６９】
ＩＱ多重が発生するＲＢ番号の差は、ＰＨＩＣＨグループの数ＮｇｒｏｕｐＰＨＩＣＨと、直交系列の数ＮｓｅｑＰＨＩＣＨと、の積を２により除した値である。ＩＱ多重が発生するＲＢ番号の差は、ＩＱオフセットと表されてよい。本例では、直交系列の数ＮｓｅｑＰＨＩＣＨを２により除した値は、パラメータＮＰＨＩＣＨＳＦと等しい。パラメータＮＰＨＩＣＨＳＦは、拡散因子サイズと表されてよい。従って、ＩＱオフセットｕｏｆｆｓｅｔは、下記数式４により表される。
【数４】
2016127439.tif 000006
【００７０】
本例では、ＩＱオフセットｕｏｆｆｓｅｔは、ＰＨＩＣＨグループの数ＮｇｒｏｕｐＰＨＩＣＨが７であり、且つ、拡散因子サイズＮＰＨＩＣＨＳＦが４であるから、２８（＝７・４）である。
【００７１】
例えば、ＰＨＩＣＨグループの数ＮｇｒｏｕｐＰＨＩＣＨは、無線通信システム１が基地局１０の使用を開始する時点までに基地局１０に設定される。従って、基地局１０は、ＰＵＳＣＨにおける無線リソースの割り当てを行なう時点までにＩＱオフセットを算出可能である。
【００７２】
本例では、制御部１１は、ＰＨＩＣＨグループの数ＮｇｒｏｕｐＰＨＩＣＨと、直交系列の数ＮｓｅｑＰＨＩＣＨを２により除した値である拡散因子サイズＮＰＨＩＣＨＳＦと、に基づいてＩＱオフセットを算出する。制御部１１は、算出したＩＱオフセットの因数と異なる整数のうちの最小値を変化量として決定する。
【００７３】
本例では、ＩＱオフセットの因数は、１、２、４、７、１４、及び、２８である。ＩＱオフセットの因数と異なる整数は、３、５、６、８、９、１０、１１、及び、…である。従って、ＩＱオフセットの因数と異なる整数のうちの最小値は、３である。
【００７４】
本例では、上述したように、変化量は、ＩＱオフセットｕｏｆｆｓｅｔの因数と異なる整数のうちの最小値である。従って、変化量は、ＩＱオフセットｕｏｆｆｓｅｔを素因数分解することにより得られる、ＩＱオフセットｕｏｆｆｓｅｔの素因数と異なる（換言すると、ＩＱオフセットｕｏｆｆｓｅｔの素因数に含まれない）素数のうちの最小の素数である。ＩＱオフセットｕｏｆｆｓｅｔの素因数分解は、下記数式５により表される。
【数５】
2016127439.tif 000007
【００７５】
Ｆ（ｋ）は、ＩＱオフセットｕｏｆｆｓｅｔの素因数のうちの、ｋ番目の素因数を表す。ｋは、１から、ＩＱオフセットｕｏｆｆｓｅｔの素因数の数までの整数を表す。α（ｋ）は、ｋ番目の素因数Ｆ（ｋ）の指数を表す。
なお、ＩＱオフセットｕｏｆｆｓｅｔの因数と異なる整数が変化量として決定されることは、ＩＱ多重の発生を回避するように変化量が決定されることの一例である。
【００７６】
制御部１１は、決定した変化量（本例では、３）に基づいて複数の割当ＲＢ候補を決定する。複数の割当ＲＢ候補は、ＰＵＳＣＨにおける無線リソースとして使用可能なＲＢのうちの、変化量を整数倍した値だけ、所定の基準値を変化させることにより得られる複数のＲＢ番号によりそれぞれ識別される複数のＲＢである。
【００７７】
本例では、基準値は、ＰＵＳＣＨにおける無線リソースとして使用可能なＲＢを識別するＲＢ番号の最小値（本例では、３）である。なお、基準値は、ＰＵＳＣＨにおける無線リソースとして使用可能なＲＢを識別するＲＢ番号の最小値よりも大きい値であってもよい。
【００７８】
本例では、各割当ＲＢ候補を識別するＲＢ番号ｕは、下記数式６を満たす。ｍｏｄ（Ｘ，Ｙ）は、ＸをＹにより除した場合における剰余を表す。
【数６】
2016127439.tif 000008
【００７９】
Ｕ０は、基準値を表す。Ｕｃｈは、変化量を表す。ｕは、基準値Ｕ０以上であり、且つ、下りリンクにおける無線信号の各スロットに含まれるＲＢの数ＮＤＬＲＢよりも小さい整数を表す。
【００８０】
本例では、図８に示すように、複数の割当ＲＢ候補は、ＲＢ番号が、３、６、９、１２、１５、…、及び、４５である１５個のＲＢである。
【００８１】
制御部１１は、決定した複数の割当ＲＢ候補の中から、無線機器２０からのデータの受信に使用可能な割当ＲＢ候補を選択し、選択した割当ＲＢ候補を識別するＲＢ番号を最小ＲＢ番号として含む、少なくとも１つのＲＢを、当該受信に割り当てる。
【００８２】
従って、例えば、図９に示すように、無線機器２０−１からのデータの受信に、ＲＢ番号が９から１２までのＲＢ１０３が割り当てられるとともに、無線機器２０−２からのデータの受信に、ＲＢ番号が３６から３８までのＲＢ１０４が割り当てられる。
【００８３】
この場合、ＲＢ１０３に対する最小ＲＢ番号は、９であり、ＲＢ１０４に対する最小ＲＢ番号は、３６である。最小ＲＢ番号としての９と関連付けられた、ＰＨＩＣＨグループ番号、及び、直交系列番号は、それぞれ、２及び１である。また、最小ＲＢ番号としての３６と関連付けられた、ＰＨＩＣＨグループ番号、及び、直交系列番号は、それぞれ、１及び５である。
【００８４】
従って、この場合、ＲＢ１０３に対する再送情報、及び、ＲＢ１０４に対する再送情報は、互いに異なるＰＨＩＣＨグループ番号に関連付けられた互いに異なる無線リソースを用いて送信される。従って、ＲＢ１０３に対する再送情報、及び、ＲＢ１０４に対する再送情報の間で、ＩＱ多重は発生しない。
【００８５】
（動作）
無線通信システム１の動作について説明する。
基地局１０は、図１０に例示するフローチャートに従った処理を実行することにより、ＰＵＳＣＨにおける無線リソースの割り当てを行なう。本例では、図１０に例示する処理は、所定の周期が経過する毎に実行される。
【００８６】
本例では、基地局１０は、ＰＨＩＣＨグループの数ＮｇｒｏｕｐＰＨＩＣＨと、直交系列の数ＮｓｅｑＰＨＩＣＨを２により除した値である拡散因子サイズＮＰＨＩＣＨＳＦと、上記数式４と、に基づいてＩＱオフセットを算出する（図１０のステップＳ１０１）。
【００８７】
次いで、基地局１０は、算出したＩＱオフセットの因数と異なる整数のうちの最小値を変化量として決定する（図１０のステップＳ１０２）。
【００８８】
そして、基地局１０は、決定した変化量に基づいて複数の割当ＲＢ候補を決定する（図１０のステップＳ１０３）。本例では、基地局１０は、ＰＵＳＣＨにおける無線リソースとして使用可能なＲＢのうちの、変化量を整数倍した値だけ、所定の基準値を変化させることにより得られる複数のＲＢ番号によりそれぞれ識別される複数のＲＢを複数の割当ＲＢ候補として決定する。
【００８９】
次いで、基地局１０は、決定した複数の割当ＲＢ候補の中で、データの受信に新たに割当可能な割当ＲＢ候補が存在するか否かを判定する（図１０のステップＳ１０４）。本例では、基地局１０は、複数の割当ＲＢ候補のうちの、データの受信に未だ割り当てられていない割当ＲＢ候補を、データの受信に新たに割当可能な割当ＲＢ候補として判定する。
【００９０】
決定された複数の割当ＲＢ候補の中で、データの受信に新たに割当可能な割当ＲＢ候補が存在しない場合、基地局１０は、「Ｎｏ」と判定し、図１０の処理を終了する。
【００９１】
決定された複数の割当ＲＢ候補の中で、データの受信に新たに割当可能な割当ＲＢ候補が存在する場合、基地局１０は、「Ｙｅｓ」と判定する。次いで、基地局１０は、データの送信を待機している複数の無線機器２０の中から、データの受信に無線リソースを割り当てる無線機器２０を選択する（図１０のステップＳ１０５）。
【００９２】
そして、基地局１０は、決定された複数の割当ＲＢ候補の中で、データの受信に新たに割当可能な割当ＲＢ候補を選択する。次いで、基地局１０は、選択した割当ＲＢ候補を識別するＲＢ番号を最小ＲＢ番号として含む、少なくとも１つのＲＢを、選択した無線機器２０からのデータの受信に割り当てる（図１０のステップＳ１０６）。
【００９３】
そして、基地局１０は、ステップＳ１０４へ戻り、ステップＳ１０４からステップＳ１０６までの処理を繰り返し実行する。
【００９４】
これによれば、同一のＰＨＩＣＨグループ番号を用いて送信される複数の再送情報のうちの任意の１つの符号化に用いられる直交系列は、当該複数の再送情報のうちの他の再送情報のそれぞれの符号化に用いられる直交系列に虚数単位を乗じた直交系列と異なる。換言すると、ＩＱ多重は発生しない。
【００９５】
そして、基地局１０は、各無線機器２０からのデータの受信に割り当てた、ＰＵＳＣＨにおける無線リソースを識別する割当情報を当該無線機器２０へ送信する。これにより、各無線機器２０は、基地局１０から割当情報を受信する。
【００９６】
次いで、各無線機器２０は、受信した割当情報により識別される、ＰＵＳＣＨにおける無線リソースを用いて、データを基地局１０へ送信する。これにより、基地局１０は、各無線機器２０からのデータを受信する。
【００９７】
そして、基地局１０は、受信したデータの送信元の各無線機器２０へ、各データの受信に割り当てられた無線リソースに関連付けられた、ＰＨＩＣＨグループ番号及び直交系列番号を用いて再送情報を送信する。これにより、各無線機器２０は、基地局１０から再送情報を受信する。
【００９８】
各無線機器２０は、受信した再送情報がＡＣＫを表す場合、未送信データを基地局１０へ送信し、受信した再送情報がＮＡＣＫを表す場合、既送信データを基地局１０へ再送する。
【００９９】
なお、図１０のステップＳ１０１からステップＳ１０３までの処理は、図１０の処理が１回目に実行される場合に実行されるとともに、図１０の処理が２回目以降に実行される場合に実行されなくてもよい。この場合、基地局１０は、図１０の処理が１回目に実行される場合に、決定した割当ＲＢ候補を記憶し、図１０の処理が２回目以降に実行される場合に、記憶している割当ＲＢ候補を用いてよい。
【０１００】
以上、説明したように、第１実施形態の基地局１０は、再送情報の符号化に用いられる直交系列と、再送情報の送信に割り当てられる無線リソースと、の組み合わせの総数に基づいて、各無線機器２０からのデータの受信に無線リソースを割り当てる。
【０１０１】
これによれば、ＩＱ多重の発生を回避できる。この結果、再送情報の受信品質を高めることができる。また、特定の直交系列のみを用いて再送情報を送信する場合よりも、ある無線リソースを用いて送信可能な再送情報の数を増加できる。この結果、無線通信システム１における無線リソースの使用効率を高めることができる。
【０１０２】
更に、第１実施形態の基地局１０は、上記総数に基づいて決定される変化量を整数倍した値だけ、所定の基準値を変化させることにより得られる整数群の中から選択された整数を、最小ＲＢ番号として含む少なくとも１つのＲＢをデータの受信に割り当てる。
【０１０３】
これによれば、変化量を適切に設定することにより、任意の２つのデータの受信に割り当てられる無線リソースに対する最小ＲＢ番号間の差がＩＱオフセットだけ異なることを回避できる。従って、ＩＱ多重の発生を回避できる。また、特定の直交系列のみを用いて再送情報を送信する場合よりも、ある無線リソースを用いて送信可能な再送情報の数を増加できる。この結果、無線通信システム１における無線リソースの使用効率を高めることができる。
【０１０４】
更に、第１実施形態の基地局１０において、変化量は、上記総数を２により除した値の因数と異なる整数である。
【０１０５】
これによれば、任意の２つのデータの受信に割り当てられる無線リソースに対する最小ＲＢ番号間の差がＩＱオフセットだけ異なることを回避できる。従って、ＩＱ多重の発生を回避できる。
【０１０６】
更に、第１実施形態の基地局１０において、変化量は、上記総数を２により除した値の因数と異なる整数のうちの最小値である。
【０１０７】
変化量が小さくなるほど、データの受信に割り当て可能なＲＢの数が多くなる。従って、基地局１０によれば、無線通信システム１における無線リソースの使用効率を高めることができる。
【０１０８】
なお、基地局１０は、ＩＱオフセットの因数と異なる整数のうちの、最小値よりも大きい値を変化量として用いてもよい。例えば、上述した例においては、ＩＱオフセットの因数と異なる整数が、３、５、６、８、９、１０、１１、及び、…であり、ＩＱオフセットの因数と異なる整数のうちの最小値が、３である。この場合、基地局１０は、変化量として、５、６、８、９、１０、１１、又は、…を用いてもよい。
【０１０９】
また、第１実施形態において開示された技術は、上りリンクにおけるデータの通信に対する無線リソースの割り当てに代えて又は加えて、下りリンクにおけるデータの通信に対する無線リソースの割り当てに適用されてもよい。
【０１１０】
第１実施形態において開示された技術は、上りリンクにおけるデータの通信に対する無線リソースの割り当てに代えて又は加えて、無線機器２０間の直接の通信に対する無線リソースの割り当てに適用されてもよい。無線機器２０間の直接の通信は、機器間（Ｄ２Ｄ；Ｄｅｖｉｃｅ  ｔｏ  Ｄｅｖｉｃｅ）通信と表されてよい。
【０１１１】
＜第２実施形態＞
次に、第２実施形態の無線通信システムについて説明する。第２実施形態の無線通信システムは、第１実施形態の無線通信システムに対して、ＰＵＳＣＨにおける無線リソースの割り当ての制御に代えて、ＰＨＩＣＨグループ番号及び直交系列番号と最小ＲＢ番号との関連付けを調整する点において相違している。以下、相違点を中心として説明する。なお、第２実施形態の説明において、第１実施形態にて使用した符号と同じ符号を付したものは、同一又はほぼ同様のものである。
【０１１２】
ＩＱ多重の発生を抑制するために、無線通信システムは、第１の直交系列群、又は、第２の直交系列群の一方のみを用いることがある（例えば、特許文献１乃至４、及び、非特許文献１乃至３を参照）。しかしながら、この場合、ある無線リソースを用いて送信可能な再送情報の数が減少する。
【０１１３】
また、ＩＱ多重が発生する場合、ＩＱ多重が発生する基となる再送情報に用いられる、ＰＨＩＣＨグループ番号、及び、直交系列番号の組み合わせを、上記数式１及び数式２におけるパラメータｎＤＭＲＳを変更することにより、変更することが考えられる。これにより、ＩＱ多重の発生を抑制できる。
【０１１４】
しかしながら、パラメータｎＤＭＲＳは、３ビットの情報である。従って、パラメータｎＤＭＲＳの情報量と、上記数式１及び数式２と、によって、再送情報の送信に使用可能な組み合わせは、特定の組み合わせに限られている。このため、再送情報に対して、ＩＱ多重を発生しない、使用可能な組み合わせが存在しないことがある。また、上記組み合わせを変更しても、新たにＩＱ多重が発生することにより、ＩＱ多重の発生を抑制できないことがある。
【０１１５】
また、第１の無線リソースを用いる、第１及び第２の再送情報の間でＩＱ多重が発生するとともに、第２の無線リソースを用いる、第３及び第４の再送情報の間でＩＱ多重が発生する場合を想定する。この場合、第１の再送情報に対する組み合わせを変更することにより、第３及び第４の再送情報に対して、ＩＱ多重を発生しない、使用可能な組み合わせが存在しなくなることがある。このように、ＩＱ多重の発生を抑制できないことがある。
【０１１６】
そこで、一つの側面として、第２実施形態の無線通信システムは、ＩＱ多重の発生を抑制することを目的とする。
【０１１７】
（構成）
図１１に例示するように、第２実施形態の無線通信システム１Ａは、図６の無線通信システム１に対して、基地局１０に代えて基地局１０Ａを備える点で相違する。
基地局１０Ａは、図６の基地局１０に対して、制御部１１に代えて制御部１１Ａを備える点で相違する。
【０１１８】
制御部１１Ａは、制御部１１に対して、ＰＵＳＣＨにおいて無線リソースを割り当てる方法と、ＰＨＩＣＨグループ番号及び直交系列番号と最小ＲＢ番号との関連付けを調整する点と、で相違する。
【０１１９】
制御部１１Ａは、上記数式１及び数式２により表される、ＰＨＩＣＨグループ番号及び直交系列番号の組み合わせと、最小ＲＢ番号と、パラメータｎＤＭＲＳと、の関連付けを予め記憶する。
【０１２０】
制御部１１Ａは、複数の割当ＲＢ候補として、ＰＵＳＣＨにおける無線リソースとして使用可能なすべてのＲＢを用いる。
図１２は、上記数式１及び数式２により表される、ＰＨＩＣＨグループ番号及び直交系列番号の組み合わせと、最小ＲＢ番号と、の関連付けの一例を示す。
【０１２１】
本例では、システム帯域幅が１０ＭＨｚであり、パラメータＮｇの値が１である場合を想定する。この場合、ＰＨＩＣＨグループの数ＮｇｒｏｕｐＰＨＩＣＨは、７である。なお、システム帯域幅は、１０ＭＨｚと異なってよい。また、パラメータＮｇの値は、１と異なってよい。
【０１２２】
本例では、ＲＢ番号が、０から２まで、及び、４７から４９までのＲＢが、ＰＵＳＣＨにおける無線リソースとして使用されない場合を想定する。ＲＢ番号が、０から２まで、及び、４７から４９までのＲＢは、ガードＲＢと表されてよい。
従って、本例において、ＲＢ番号が３から４６までのＲＢは、ＰＵＳＣＨにおける無線リソースとして使用可能である。
【０１２３】
本例では、制御部１１Ａは、複数の割当ＲＢ候補として、ＲＢ番号が３から４６までのすべてのＲＢを用いる。
制御部１１Ａは、各無線機器２０からのデータの受信に、ＰＵＳＣＨにおける無線リソースを割り当てた場合、各無線機器２０からのデータの受信に割り当てた無線リソースに対する最小ＲＢ番号により識別されるＲＢの中からＩＱ多重ＲＢを抽出する。
【０１２４】
ＩＱ多重ＲＢは、ＩＱ多重が発生する、ＰＨＩＣＨグループ番号及び直交系列番号の一対の組み合わせと上記数式１及び数式２によって関連付けられた一対の最小ＲＢ番号のそれぞれにより識別されるＲＢである。
【０１２５】
本例では、制御部１１Ａは、上記数式４に基づいてＩＱオフセットｕｏｆｆｓｅｔを算出し、一対の最小ＲＢ番号の差が、算出したＩＱオフセットｕｏｆｆｓｅｔに一致する一対のＲＢのそれぞれを、ＩＱ多重ＲＢとして抽出する。本例では、ＩＱオフセットｕｏｆｆｓｅｔは、ＰＨＩＣＨグループの数ＮｇｒｏｕｐＰＨＩＣＨが７であり、且つ、拡散因子サイズＮＰＨＩＣＨＳＦが４であるから、２８（＝７・４）である。
【０１２６】
制御部１１Ａは、抽出したＩＱ多重ＲＢのそれぞれに対して、変更候補数を取得する。変更候補数は、ＩＱ多重ＲＢを識別するＲＢ番号に対して、所定の変更条件を満足する、ＰＨＩＣＨグループ番号及び直交系列番号の組み合わせである変更候補の数である。本例では、変更条件は、後述する、第１乃至第４の条件のすべてを満足する、という条件である。
【０１２７】
本例では、パラメータｎＤＭＲＳの値を変更することにより、ＰＨＩＣＨグループ番号及び直交系列番号と最小ＲＢ番号との関連付けが調整される。本例では、パラメータｎＤＭＲＳは、割当情報に含まれる。ところで、ＰＵＳＣＨにおける無線リソースを用いたデータの受信は、割当情報の送信を伴って行なわれる場合と、割当情報の送信を伴わずに行なわれる場合と、がある。
【０１２８】
例えば、無線機器２０からの未送信データの受信、及び、無線機器２０からの既送信データの受信のうちの、Ａｄａｐｔｉｖｅ再送による受信は、割当情報の送信を伴って行なわれる。Ａｄａｐｔｉｖｅ再送は、前回の送信と異なる無線リソースが割り当てられる再送である。例えば、無線機器２０からの既送信データの受信のうちの、Ｎｏｎ−Ａｄａｐｔｉｖｅ再送による受信は、割当情報の送信を伴わずに行なわれる。Ｎｏｎ−Ａｄａｐｔｉｖｅ再送は、前回の送信と同じ無線リソースが割り当てられる再送である。
【０１２９】
従って、ＰＵＳＣＨにおける無線リソースを用いたデータの受信が、割当情報の送信を伴わずに行なわれる場合、ＰＨＩＣＨグループ番号及び直交系列番号の組み合わせと、最小ＲＢ番号と、の関連付けを調整できない。
そこで、第１の条件は、変更候補数を取得する対象のＲＢ番号により識別されるＲＢが割り当てられたデータの受信が、割当情報の送信を伴って行なわれる、という条件である。
【０１３０】
第２の条件は、変更候補が、パラメータｎＤＭＲＳの値を変更することにより、変更候補数を取得する対象のＲＢ番号と上記数式１及び数式２によって関連付けられる複数の組み合わせの１つである、という条件である。
【０１３１】
第３の条件は、変更候補と同一のＰＨＩＣＨグループ番号及び直交系列番号の組み合わせがいずれの再送情報の送信にも用いられていない、という条件である。
第４の条件は、変更候補が新たにＩＱ多重を発生しない、という条件である。換言すると、第４の条件は、変更候補とともにＩＱ多重を発生する、ＰＨＩＣＨグループ番号及び直交系列番号の組み合わせがいずれの再送情報の送信にも用いられていない、という条件である。
【０１３２】
第１乃至第３の条件のすべてを満足する、ＰＨＩＣＨグループ番号及び直交系列番号の組み合わせは、再送情報の送信に使用可能な直交系列及び無線リソースの組み合わせとして所定の規則に従って定められた組み合わせの一例である。変更条件を満足する、ＰＨＩＣＨグループ番号及び直交系列番号の組み合わせは、再送情報の送信に使用可能な直交系列及び無線リソースの組み合わせとして所定の規則に従って定められた組み合わせのうちのＩＱ多重が発生しない組み合わせの一例である。
【０１３３】
図１２に例示するように、割当情報の送信を伴うデータの受信に割り当てられた無線リソースに対する最小ＲＢ番号が、６、１０、１８、３５、４３、及び、４６である場合を想定する。この場合において、割当情報の送信を伴わないデータの受信に割り当てられた無線リソースに対する最小ＲＢ番号が、２３、２６、及び、３８である場合を想定する。
【０１３４】
この場合、最小ＲＢ番号としての１０と関連付けられた、ＰＨＩＣＨグループ番号、及び、直交系列番号は、それぞれ、３及び１である。また、最小ＲＢ番号としての３８と関連付けられた、ＰＨＩＣＨグループ番号、及び、直交系列番号は、それぞれ、３及び５である。従って、ＰＨＩＣＨグループ番号が３であるＰＨＩＣＨグループにおいて、ＩＱ多重が発生する。なお、最小ＲＢ番号としての１０と、最小ＲＢ番号としての３８と、の差は、ＩＱオフセットである２８に一致する。
【０１３５】
同様に、最小ＲＢ番号としての１８と関連付けられた、ＰＨＩＣＨグループ番号、及び、直交系列番号は、それぞれ、４及び２である。また、最小ＲＢ番号としての４６と関連付けられた、ＰＨＩＣＨグループ番号、及び、直交系列番号は、それぞれ、４及び６である。従って、ＰＨＩＣＨグループ番号が４であるＰＨＩＣＨグループにおいて、ＩＱ多重が発生する。なお、最小ＲＢ番号としての１８と、最小ＲＢ番号としての４６と、の差は、ＩＱオフセットである２８に一致する。
【０１３６】
従って、この場合、制御部１１Ａは、ＩＱ多重ＲＢとして、ＲＢ番号が、１０、１８、３８、及び、４６であるＲＢを抽出する。上述したように、制御部１１Ａは、抽出したＩＱ多重ＲＢのそれぞれに対して、変更候補数を取得する。
【０１３７】
この場合、ＲＢ番号が、１０、１８、及び、４６であるＩＱ多重ＲＢは、割当情報の送信を伴うデータの受信に割り当てられている。従って、ＲＢ番号が、１０、１８、及び、４６であるＩＱ多重ＲＢに対する第１の条件は、満足される。一方、ＲＢ番号が３８であるＩＱ多重ＲＢに対する第１の条件は、満足されない。換言すると、ＲＢ番号が３８であるＩＱ多重ＲＢに対する変更候補数は、０である。
【０１３８】
ＲＢ番号が１０であるＩＱ多重ＲＢに対する第２乃至第４の条件について説明を加える。
１８、２６、３４、３５、４３、５１、及び、３であるＲＢ番号と図１２にて対応する、ＰＨＩＣＨグループ番号、及び、直交系列番号の組み合わせのそれぞれは、第１及び第２の条件を満足する。
第１及び第２の条件を満足する組み合わせのうちの、３４、５１、及び、３であるＲＢ番号と図１２にて対応する、ＰＨＩＣＨグループ番号及び直交系列番号の組み合わせのそれぞれは、第１乃至第３の条件を満足する。
【０１３９】
第１乃至第３の条件を満足する組み合わせのうちの、３であるＲＢ番号と図１２にて対応する、ＰＨＩＣＨグループ番号及び直交系列番号の組み合わせのそれぞれは、第１乃至第４の条件を満足する。
【０１４０】
従って、ＲＢ番号が１０であるＩＱ多重ＲＢに対する変更候補は、ＰＨＩＣＨグループ番号及び直交系列番号がそれぞれ３及び０である組み合わせである。換言すると、ＲＢ番号が１０であるＩＱ多重ＲＢに対する変更候補数は、１である。
【０１４１】
ＲＢ番号が１８であるＩＱ多重ＲＢに対する第２乃至第４の条件について説明を加える。
２６、３４、３５、４３、５１、３、及び、１１であるＲＢ番号と図１２にて対応する、ＰＨＩＣＨグループ番号、及び、直交系列番号の組み合わせのそれぞれは、第１及び第２の条件を満足する。
第１及び第２の条件を満足する組み合わせのうちの、３４、５１、３、及び、１１であるＲＢ番号と図１２にて対応する、ＰＨＩＣＨグループ番号及び直交系列番号の組み合わせのそれぞれは、第１乃至第３の条件を満足する。
【０１４２】
第１乃至第３の条件を満足する組み合わせのうちの、３及び１１であるＲＢ番号と図１２にて対応する、ＰＨＩＣＨグループ番号及び直交系列番号の組み合わせのそれぞれは、第１乃至第４の条件を満足する。
【０１４３】
従って、ＲＢ番号が１８であるＩＱ多重ＲＢに対する変更候補は、ＰＨＩＣＨグループ番号及び直交系列番号がそれぞれ３及び０である組み合わせと、ＰＨＩＣＨグループ番号及び直交系列番号がそれぞれ４及び１である組み合わせと、である。換言すると、ＲＢ番号が１８であるＩＱ多重ＲＢに対する変更候補数は、２である。
【０１４４】
ＲＢ番号が４６であるＩＱ多重ＲＢに対する第２乃至第４の条件について説明を加える。
５４、６、７、１５、２３、３１、３９、及び、４７であるＲＢ番号と図１２にて対応する、ＰＨＩＣＨグループ番号、及び、直交系列番号の組み合わせのそれぞれは、第１及び第２の条件を満足する。
第１及び第２の条件を満足する組み合わせのうちの、５４、７、１５、３１及び３９であるＲＢ番号と図１２にて対応する、ＰＨＩＣＨグループ番号及び直交系列番号の組み合わせのそれぞれは、第１乃至第３の条件を満足する。
【０１４５】
第１乃至第３の条件を満足する組み合わせのうちの、３１及び３９であるＲＢ番号と図１２にて対応する、ＰＨＩＣＨグループ番号及び直交系列番号の組み合わせのそれぞれは、第１乃至第４の条件を満足する。
【０１４６】
従って、ＲＢ番号が４６であるＩＱ多重ＲＢに対する変更候補は、ＰＨＩＣＨグループ番号及び直交系列番号がそれぞれ３及び４である組み合わせと、ＰＨＩＣＨグループ番号及び直交系列番号がそれぞれ４及び５である組み合わせと、である。換言すると、ＲＢ番号が４６であるＩＱ多重ＲＢに対する変更候補数は、２である。
このようにして、制御部１１Ａは、抽出したＩＱ多重ＲＢのそれぞれに対して、変更候補数を取得する。
【０１４７】
制御部１１Ａは、取得した変更候補数の中で最小であり、且つ、０よりも大きい変更候補数に対するＩＱ多重ＲＢを選択する。
制御部１１Ａは、選択したＩＱ多重ＲＢに対する、ＰＨＩＣＨグループ番号及び直交系列番号の組み合わせを、当該ＩＱ多重ＲＢに対する変更候補のうちの、既に行なわれた組み合わせの変更によって新たに使用される組み合わせと異なる組み合わせに変更する。
【０１４８】
換言すると、制御部１１Ａは、選択したＩＱ多重ＲＢを識別する最小ＲＢ番号と、ＰＨＩＣＨグループ番号及び直交系列番号の組み合わせと、の関連付けを調整する。本例では、最小ＲＢ番号と、ＰＨＩＣＨグループ番号及び直交系列番号の組み合わせと、の関連付けの調整は、パラメータｎＤＭＲＳの値を変更することにより行なわれる。
【０１４９】
制御部１１Ａは、抽出したＩＱ多重ＲＢの中で、未変更のＩＱ多重ＲＢが存在しなくなるまで、ＩＱ多重ＲＢの選択と、選択したＩＱ多重ＲＢに対する、ＰＨＩＣＨグループ番号及び直交系列番号の組み合わせの変更と、を繰り返す。未変更のＩＱ多重ＲＢは、当該ＩＱ多重ＲＢ、及び、当該ＩＱ多重ＲＢとＩＱオフセットだけ異なるＲＢ番号により識別されるＩＱ多重ＲＢのいずれに対する上記組み合わせの変更も行なわれていないＩＱ多重ＲＢである。
【０１５０】
上述した場合においては、ＲＢ番号が１０であるＩＱ多重ＲＢに対する変更候補数が、取得した変更候補数の中で最小であり、且つ、０よりも大きい。従って、この場合、先ず、制御部１１Ａは、ＲＢ番号が１０であるＩＱ多重ＲＢに対する、ＰＨＩＣＨグループ番号及び直交系列番号の組み合わせを、変更候補である、ＰＨＩＣＨグループ番号及び直交系列番号がそれぞれ３及び０である組み合わせに変更する。
【０１５１】
この時点では、未変更のＩＱ多重ＲＢとして、ＲＢ番号が、１８及び４６であるＩＱ多重ＲＢが存在する。また、この時点では、ＲＢ番号が１８又は４６であるＩＱ多重ＲＢに対する変更候補数が、取得した変更候補数の中で最小であり、且つ、０よりも大きい。
【０１５２】
従って、次に、制御部１１Ａは、ＲＢ番号が１８であるＩＱ多重ＲＢに対する、ＰＨＩＣＨグループ番号及び直交系列番号の組み合わせを、変更候補である、ＰＨＩＣＨグループ番号及び直交系列番号がそれぞれ４及び１である組み合わせに変更する。
また、制御部１１Ａは、変更候補数が同じであることから、ＲＢ番号が４６であるＩＱ多重ＲＢに対する、ＰＨＩＣＨグループ番号及び直交系列番号の組み合わせを変更候補に変更してもよい。
【０１５３】
ところで、仮に、変更候補数が最大であるＩＱ多重ＲＢから順に組み合わせの変更が行なわれた場合を想定する。例えば、上述した場合において、最初に、ＲＢ番号が１８であるＩＱ多重ＲＢに対する組み合わせが、ＰＨＩＣＨグループ番号及び直交系列番号がそれぞれ３及び０である組み合わせに変更された場合を想定する。この場合、ＲＢ番号が１０であるＩＱ多重ＲＢに対して選択可能な変更候補が存在しなくなる。このため、ＲＢ番号が１０及び３８であるＩＱ多重ＲＢに対するＩＱ多重の発生を回避できない。
【０１５４】
これに対し、第２実施形態の制御部１１Ａによれば、変更候補数が少ないＩＱ多重ＲＢから順に組み合わせの変更が行なわれる。これにより、ＩＱ多重の発生を抑制できる。この結果、再送情報の受信品質を高めることができる。
【０１５５】
送信部１２は、変更後のパラメータｎＤＭＲＳを含む割当情報を各無線機器２０へ送信する。
受信部２２は、パラメータｎＤＭＲＳを含む割当情報を基地局１０から受信する。
【０１５６】
制御部２１は、上記数式１及び数式２により表される、ＰＨＩＣＨグループ番号及び直交系列番号の組み合わせと、最小ＲＢ番号と、パラメータｎＤＭＲＳと、の関連付けを予め記憶する。
【０１５７】
制御部２１は、基地局１０Ａから割当情報が受信された場合、当該割当情報と、記憶されている関連付けと、に基づいて、ＰＨＩＣＨグループ番号及び直交系列番号の組み合わせを取得する。本例では、当該組み合わせの取得は、当該割当情報により識別される、ＰＵＳＣＨにおける無線リソースに対する最小ＲＢ番号と、当該割当情報に含まれるパラメータｎＤＭＲＳと、記憶されている関連付けと、に基づいて行なわれる。
【０１５８】
（動作）
無線通信システム１Ａの動作について説明する。
基地局１０Ａは、図１３に例示するフローチャートに従った処理を実行することにより、ＰＨＩＣＨグループ番号及び直交系列番号と最小ＲＢ番号との関連付けを調整する。本例では、図１３に例示する処理は、ＰＵＳＣＨにおける無線リソースの割り当てが行なわれる毎に実行される。
【０１５９】
基地局１０Ａは、ＰＵＳＣＨにおける無線リソースの割り当てを行なった場合、各無線機器２０からのデータの受信に割り当てた無線リソースに対する最小ＲＢ番号により識別されるＲＢの中からＩＱ多重ＲＢを抽出する（図１３のステップＳ２０１）。
【０１６０】
次いで、基地局１０Ａは、抽出したＩＱ多重ＲＢのそれぞれに対する変更候補数を取得する（図１３のステップＳ２０２）。そして、基地局１０Ａは、取得した変更候補数の中で最小であり、且つ、０よりも大きい変更候補数に対するＩＱ多重ＲＢを選択する（図１３のステップＳ２０３）。
【０１６１】
基地局１０Ａは、選択したＩＱ多重ＲＢに対するＰＨＩＣＨグループ番号及び直交系列番号の組み合わせを、変更候補のうちの、既に行なわれた組み合わせの変更によって新たに使用される組み合わせと異なる組み合わせに変更する（図１３のステップＳ２０４）。
【０１６２】
次いで、基地局１０Ａは、抽出したＩＱ多重ＲＢの中で、未変更のＩＱ多重ＲＢが存在するか否かを判定する（図１３のステップＳ２０５）。
抽出されたＩＱ多重ＲＢの中で、未変更のＩＱ多重ＲＢが存在する場合、基地局１０Ａは、「Ｙｅｓ」と判定し、ステップＳ２０３へ戻り、ステップＳ２０３からステップＳ２０５までの処理を繰り返し実行する。
【０１６３】
一方、抽出されたＩＱ多重ＲＢの中で、未変更のＩＱ多重ＲＢが存在しなくなった場合、基地局１０Ａは、「Ｎｏ」と判定する。そして、基地局１０Ａは、各無線機器２０に対する割当情報を当該無線機器２０へ送信する（図１３のステップＳ２０６）。各無線機器２０に対する割当情報は、当該無線機器２０からのデータの受信に割り当てた、ＰＵＳＣＨにおける無線リソースを識別するとともに、ステップＳ２０５にて行なった組み合わせの変更に対応するパラメータｎＤＭＲＳを含む。
次いで、基地局１０Ａは、図１３の処理を終了する。
【０１６４】
これにより、各無線機器２０は、基地局１０Ａから割当情報を受信する。
次いで、各無線機器２０は、受信した割当情報により識別される、ＰＵＳＣＨにおける無線リソースを用いて、データを基地局１０Ａへ送信する。これにより、基地局１０Ａは、各無線機器２０からのデータを受信する。
【０１６５】
そして、基地局１０Ａは、受信したデータの送信元の各無線機器２０へ再送情報を送信する。再送情報の送信は、各データの受信に割り当てられた無線リソースに対する最小ＲＢ番号と、当該無線機器２０に対するパラメータｎＤＭＲＳと、に関連付けられた、ＰＨＩＣＨグループ番号及び直交系列番号を用いて行なわれる。
【０１６６】
これにより、各無線機器２０は、基地局１０Ａから再送情報を受信する。再送情報の受信及び復号は、データの送信に割り当てられた無線リソースに対する最小ＲＢ番号と、割当情報に含まれるパラメータｎＤＭＲＳと、に関連付けられた、ＰＨＩＣＨグループ番号及び直交系列番号を用いて行なわれる。
【０１６７】
各無線機器２０は、受信した再送情報がＡＣＫを表す場合、未送信データを基地局１０Ａへ送信し、受信した再送情報がＮＡＣＫを表す場合、既送信データを基地局１０Ａへ再送する。
【０１６８】
以上、説明したように、第２実施形態の基地局１０Ａは、ＩＱ多重が発生する場合、ＩＱ多重の発生の基となる複数のＩＱ多重ＲＢのそれぞれに対する変更候補数に基づいて、再送情報の送信に用いられる、無線リソース及び直交系列の組み合わせを変更する。更に、基地局１０Ａは、変更された上記組み合わせを用いて再送情報を送信する。本例では、各ＩＱ多重ＲＢに対応して、再送情報が送信される。従って、ＩＱ多重ＲＢに対する変更候補数は、再送情報に対する変更候補数と表されてよい。
【０１６９】
第１の再送情報に対する、無線リソース及び直交系列の組み合わせを変更することにより、第２の再送情報に対して、ＩＱ多重を発生しない、使用可能な組み合わせが存在しなくなることがある。
【０１７０】
これに対し、基地局１０Ａによれば、変更候補数が少ない再送情報から順に、再送情報の送信に用いられる組み合わせを変更できる。従って、第１の再送情報に対する組み合わせを変更した場合に、第２の再送情報に対して、ＩＱ多重を発生しない、使用可能な組み合わせが存在する確率を高めることができる。これにより、ＩＱ多重の発生を抑制できる。この結果、再送情報の受信品質を高めることができる。
【０１７１】
また、特定の直交系列のみを用いて再送情報を送信する場合よりも、ある無線リソースを用いて送信可能な再送情報の数を増加できる。この結果、無線通信システム１Ａにおける無線リソースの使用効率を高めることができる。
【０１７２】
更に、第２実施形態の基地局１０Ａは、ＩＱ多重ＲＢの中で、変更候補数が少ない再送情報から順に、再送情報の送信に用いられる上記組み合わせを変更する。
【０１７３】
これによれば、第１の再送情報に対する上記組み合わせを変更した場合に、第２の再送情報に対して、ＩＱ多重を発生しない、使用可能な組み合わせが存在する確率を高めることができる。これにより、ＩＱ多重の発生を抑制できる。この結果、再送情報の受信品質を高めることができる。
【０１７４】
また、特定の直交系列のみを用いて再送情報を送信する場合よりも、ある無線リソースを用いて送信可能な再送情報の数を増加できる。この結果、無線通信システム１Ａにおける無線リソースの使用効率を高めることができる。
【０１７５】
また、第２実施形態において開示された技術は、上りリンクにおけるデータの通信に対する無線リソースの割り当てに代えて又は加えて、下りリンクにおけるデータの通信に対する無線リソースの割り当てに適用されてもよい。
【０１７６】
第２実施形態において開示された技術は、上りリンクにおけるデータの通信に対する無線リソースの割り当てに代えて又は加えて、無線機器２０間の直接の通信に対する無線リソースの割り当てに適用されてもよい。
【０１７７】
＜第２実施形態の第１変形例＞
次に、第２実施形態の第１変形例の無線通信システムについて説明する。第２実施形態の第１変形例の無線通信システムは、第２実施形態の無線通信システムに対して、変更候補が存在しない場合において上記組み合わせを変更する点において相違している。以下、相違点を中心として説明する。なお、第２実施形態の第１変形例の説明において、第２実施形態にて使用した符号と同じ符号を付したものは、同一又はほぼ同様のものである。
【０１７８】
図１４に例示するように、割当情報の送信を伴うデータの受信に割り当てられた無線リソースに対する最小ＲＢ番号が、６、１０、１８、３５、４３、及び、４６である場合を想定する。この場合において、割当情報の送信を伴わないデータの受信に割り当てられた無線リソースに対する最小ＲＢ番号が、３、２３、２６、及び、３８である場合を想定する。
【０１７９】
この場合、図１２と同様に、最小ＲＢ番号としての１０と、最小ＲＢ番号としての３８と、の差は、ＩＱオフセットである２８に一致する。従って、最小ＲＢ番号が１０及び３８である無線リソースに対してＩＱ多重が発生する。同様に、最小ＲＢ番号としての１８と、最小ＲＢ番号としての４６と、の差は、ＩＱオフセットである２８に一致する。従って、最小ＲＢ番号が１８及び４６である無線リソースに対してＩＱ多重が発生する。
【０１８０】
この場合、第２実施形態の制御部１１Ａは、ＩＱ多重ＲＢとして、ＲＢ番号が、１０、１８、３８、及び、４６であるＲＢを抽出する。更に、第２実施形態の制御部１１Ａは、ＲＢ番号が１０及び３８であるＩＱ多重ＲＢに対する変更候補数として０を取得するとともに、ＲＢ番号が１８及び４６であるＩＱ多重ＲＢに対する変更候補数として１を取得する。加えて、第２実施形態の制御部１１Ａは、図１５に示すように、ＲＢ番号が１８であるＩＱ多重ＲＢに対する上記組み合わせを、変更候補である、ＰＨＩＣＨグループ番号及び直交系列番号がそれぞれ４及び１である組み合わせに変更する。
【０１８１】
しかしながら、第２実施形態の制御部１１Ａは、ＲＢ番号が１０及び３８であるＩＱ多重ＲＢに対する上記組み合わせの変更を実行できない。従って、第２実施形態の制御部１１Ａにおいては、最小ＲＢ番号が１０及び３８である無線リソースに対するＩＱ多重の発生を回避できない。
【０１８２】
そこで、第２実施形態の第１変形例の制御部１１Ａは、抽出したＩＱ多重ＲＢの中で、未変更のＩＱ多重ＲＢが存在し、且つ、変更候補数が０よりも大きいＩＱ多重ＲＢが存在しない場合、拡張変更処理を実行する。
【０１８３】
以下、拡張変更処理について説明する。
制御部１１Ａは、未変更のＩＱ多重ＲＢに対して拡張変更候補を抽出する。拡張変更候補は、ＩＱ多重ＲＢを識別するＲＢ番号に対して、所定の拡張変更条件を満足する、ＰＨＩＣＨグループ番号及び直交系列番号の組み合わせである。本例では、拡張変更条件は、第５乃至第８の条件のすべてを満足する、という条件である。
【０１８４】
第５の条件は、拡張変更候補を抽出する対象のＲＢ番号により識別されるＲＢが割り当てられたデータの受信が、割当情報の送信を伴って行なわれる、という条件である。
第６の条件は、拡張変更候補が、パラメータｎＤＭＲＳの値を変更することにより、拡張変更候補を抽出する対象のＲＢ番号と上記数式１及び数式２によって関連付けられる複数の組み合わせの１つである、という条件である。
【０１８５】
第７の条件は、拡張変更候補と上記数式１及び数式２によって関連付けられるＲＢ番号により識別されるＲＢにデータの受信が割り当てられている場合には、当該データの受信が、割当情報の送信を伴って行なわれる、という条件である。
第８の条件は、拡張変更候補が、既に行なわれた組み合わせの変更における、変更前の組み合わせ及び変更後の組み合わせと異なる組み合わせである、という条件である。
なお、拡張変更条件は、第５乃至第７の条件のすべてを満足する、という条件であってもよい。
【０１８６】
上述した場合においては、制御部１１Ａは、ＲＢ番号が１０であるＩＱ多重ＲＢに対して、３４、３５、４３、及び、５１であるＲＢ番号と図１５にて対応する、ＰＨＩＣＨグループ番号及び直交系列番号の組み合わせのそれぞれを拡張変更候補として抽出する。
【０１８７】
更に、制御部１１Ａは、抽出した拡張変更候補のそれぞれに対して、拡張変更候補数を取得する。拡張変更候補数は、当該拡張変更候補に対応する取得対象に対して、所定の候補変更条件を満足する、ＰＨＩＣＨグループ番号及び直交系列番号の組み合わせである変更候補の数である。
【０１８８】
当該取得対象は、当該拡張変更候補がＩＱ多重を発生せず、且つ、当該拡張変更候補と同一のＰＨＩＣＨグループ番号及び直交系列番号がいずれかの再送情報の送信に用いられている場合、当該拡張変更候補である。当該取得対象は、当該拡張変更候補がＩＱ多重を発生し、且つ、当該拡張変更候補がいずれの再送情報の送信にも用いられていない場合、当該拡張変更候補とともにＩＱ多重を発生する、ＰＨＩＣＨグループ番号及び直交系列番号の組み合わせである。
本例では、候補変更条件は、第９乃至第１１の条件のすべてを満足する、という条件である。
【０１８９】
第９の条件は、取得対象に対する変更候補が、パラメータｎＤＭＲＳの値を変更することにより、取得対象と上記数式１及び数式２によって関連付けられる複数の組み合わせの１つである、という条件である。
【０１９０】
第１０の条件は、取得対象に対する変更候補と同一のＰＨＩＣＨグループ番号及び直交系列番号がいずれの再送情報の送信にも用いられていない、という条件である。
第１１の条件は、取得対象に対する変更候補が新たにＩＱ多重を発生しない、という条件である。
【０１９１】
上述した場合において、３４であるＲＢ番号と図１５にて対応する、ＰＨＩＣＨグループ番号及び直交系列番号の組み合わせである拡張変更候補に対する拡張変更候補数の取得について説明を加える。
【０１９２】
３４であるＲＢ番号と図１５にて対応する拡張変更候補は、６であるＲＢ番号と図１５にて対応する、ＰＨＩＣＨグループ番号及び直交系列番号の組み合わせとの間でＩＱ多重を発生する。更に、ＲＢ番号が３４である拡張変更候補は、当該拡張変更候補と同一のＰＨＩＣＨグループ番号及び直交系列番号がいずれの再送情報の送信にも用いられていない。従って、ＲＢ番号が３４である拡張変更候補に対する取得対象は、当該拡張変更候補とともにＩＱ多重を発生する、６であるＲＢ番号と図１５にて対応するＰＨＩＣＨグループ番号及び直交系列番号の組み合わせである。
【０１９３】
６であるＲＢ番号と図１５にて対応する組み合わせは、３４であるＲＢ番号と図１５にて対応する組み合わせを用いて再送情報が送信されるという仮定下で当該再送情報とともにＩＱ多重を発生する基となる再送情報の送信に用いられる組み合わせの一例である。
【０１９４】
次に、３４であるＲＢ番号と図１５にて対応する拡張変更候補の取得対象に対する第９乃至第１１の条件について説明を加える。
７、１５、２３、３１、３９、４７、及び、５５であるＲＢ番号と図１５にて対応する、ＰＨＩＣＨグループ番号、及び、直交系列番号の組み合わせのそれぞれは、第９の条件を満足する。
第９の条件を満足する組み合わせのうちの、７、１５、３１、３９、４７、及び、５５であるＲＢ番号と図１５にて対応する、ＰＨＩＣＨグループ番号及び直交系列番号の組み合わせのそれぞれは、第９及び第１０の条件を満足する。
【０１９５】
第９及び第１０の条件を満足する組み合わせのうちの、４７、及び、５５であるＲＢ番号と図１５にて対応する、ＰＨＩＣＨグループ番号及び直交系列番号の組み合わせのそれぞれは、第９乃至第１１の条件を満足する。
【０１９６】
従って、３４であるＲＢ番号と図１５にて対応する拡張変更候補の取得対象に対する変更候補は、ＰＨＩＣＨグループ番号及び直交系列番号が、それぞれ５及び６である組み合わせと、それぞれ６及び７である組み合わせと、である。換言すると、３４であるＲＢ番号と図１５にて対応する拡張変更候補に対する拡張変更候補数は、２である。
【０１９７】
次に、３５であるＲＢ番号と図１５にて対応する、ＰＨＩＣＨグループ番号及び直交系列番号の組み合わせである拡張変更候補に対する拡張変更候補数の取得について説明を加える。
【０１９８】
３５であるＲＢ番号と図１５にて対応する拡張変更候補は、ＩＱ多重を発生しない。更に、ＲＢ番号が３５である拡張変更候補は、当該拡張変更候補と同一のＰＨＩＣＨグループ番号及び直交系列番号が再送情報の送信に用いられている。従って、ＲＢ番号が３５である拡張変更候補に対する取得対象は、当該拡張変更候補である。
【０１９９】
次に、３５であるＲＢ番号と図１５にて対応する拡張変更候補の取得対象に対する第９乃至第１１の条件について説明を加える。
４３、５１、３、１１、１９、２７、及び、２８であるＲＢ番号と図１５にて対応する、ＰＨＩＣＨグループ番号、及び、直交系列番号の組み合わせのそれぞれは、第９の条件を満足する。
第９の条件を満足する組み合わせのうちの、５１、１９、２７、及び、２８であるＲＢ番号と図１５にて対応する、ＰＨＩＣＨグループ番号及び直交系列番号の組み合わせのそれぞれは、第９及び第１０の条件を満足する。
【０２００】
第９及び第１０の条件を満足する組み合わせのうちの、１９、２７、及び、２８であるＲＢ番号と図１５にて対応する、ＰＨＩＣＨグループ番号及び直交系列番号の組み合わせのそれぞれは、第９乃至第１１の条件を満足する。
【０２０１】
従って、３５であるＲＢ番号と図１５にて対応する拡張変更候補に対する変更候補は、ＰＨＩＣＨグループ番号及び直交系列番号が、それぞれ５及び２である組み合わせと、それぞれ６及び３である組み合わせと、それぞれ０及び４である組み合わせと、である。換言すると、３５であるＲＢ番号と図１５にて対応する拡張変更候補に対する拡張変更候補数は、３である。
【０２０２】
同様に、４３であるＲＢ番号と図１５にて対応する拡張変更候補に対する拡張変更候補数は、４である。同様に、５１であるＲＢ番号と図１５にて対応する拡張変更候補に対する拡張変更候補数は、０である。
【０２０３】
制御部１１Ａは、取得した拡張変更候補数の中で最小であり、且つ、０よりも大きい拡張変更候補数に対する拡張変更候補を選択する。制御部１１Ａは、選択した拡張変更候補の取得対象に関連付けられたＲＢに対する、ＰＨＩＣＨグループ番号及び直交系列番号の組み合わせを、当該取得対象に対する変更候補に変更する。更に、制御部１１Ａは、ＩＱ多重ＲＢに対する、ＰＨＩＣＨグループ番号及び直交系列番号の組み合わせを、選択した拡張変更候補に変更する。
【０２０４】
上述した場合においては、３４であるＲＢ番号と図１５にて対応する拡張変更候補に対する拡張変更候補数が、取得した拡張変更候補数の中で最小であり、且つ、０よりも大きい。従って、この場合、制御部１１Ａは、図１６に示すように、最小ＲＢ番号が６である無線リソースに対する、ＰＨＩＣＨグループ番号及び直交系列番号の組み合わせを、ＰＨＩＣＨグループ番号及び直交系列番号がそれぞれ５及び６である組み合わせに変更する。
【０２０５】
更に、制御部１１Ａは、図１７に示すように、ＲＢ番号が１０であるＩＱ多重ＲＢに対する、ＰＨＩＣＨグループ番号及び直交系列番号の組み合わせを、選択した拡張変更候補に変更する。選択した拡張変更候補は、ＰＨＩＣＨグループ番号及び直交系列番号がそれぞれ６及び０である組み合わせである。
このようにして、拡張変更処理が実行される。
【０２０６】
（動作）
第２実施形態の第１変形例の無線通信システム１Ａの動作について説明する。
基地局１０Ａは、図１３の処理に代えて、図１８に例示するフローチャートに従った処理を実行する。
図１８の処理は、図１３のステップＳ２０３及びステップＳ２０４の処理を、ステップＳ３０１からステップＳ３０７の処理に置換した処理である。
【０２０７】
基地局１０Ａは、図１８のステップＳ２０２の処理を実行した後、取得した変更候補数が０よりも大きいＩＱ多重ＲＢが存在するか否かを判定する（図１８のステップＳ３０１）。
取得された変更候補数が０よりも大きいＩＱ多重ＲＢが存在する場合、基地局１０Ａは、「Ｙｅｓ」と判定し、取得された変更候補数が最小であるＩＱ多重ＲＢを選択する（図１８のステップＳ３０２）。
【０２０８】
基地局１０Ａは、選択したＩＱ多重ＲＢに対するＰＨＩＣＨグループ番号及び直交系列番号の組み合わせを、変更候補のうちの、既に行なわれた組み合わせの変更によって新たに使用される組み合わせと異なる組み合わせに変更する（図１８のステップＳ３０３）。
【０２０９】
次いで、基地局１０Ａは、抽出したＩＱ多重ＲＢの中で、未変更のＩＱ多重ＲＢが存在するか否かを判定する（図１８のステップＳ２０５）。
抽出されたＩＱ多重ＲＢの中で、未変更のＩＱ多重ＲＢが存在する場合、基地局１０Ａは、「Ｙｅｓ」と判定し、ステップＳ３０１へ戻り、ステップＳ３０１からステップＳ２０５までの処理を繰り返し実行する。
【０２１０】
取得された変更候補数が０よりも大きいＩＱ多重ＲＢが存在しない場合、基地局１０Ａは、ステップＳ３０１にて「Ｎｏ」と判定する。そして、基地局１０Ａは、未変更のＩＱ多重ＲＢに対して拡張変更候補を抽出し、抽出した拡張変更候補のそれぞれに対して、拡張変更候補数を取得する（図１８のステップＳ３０４）。
【０２１１】
そして、基地局１０Ａは、取得した拡張変更候補数の中で最小であり、且つ、０よりも大きい拡張変更候補数に対する拡張変更候補を選択する（図１８のステップＳ３０５）。次いで、基地局１０Ａは、選択した拡張変更候補の取得対象に関連付けられたＲＢに対する、ＰＨＩＣＨグループ番号及び直交系列番号の組み合わせを、当該取得対象に対する変更候補に変更する（図１８のステップＳ３０６）。
【０２１２】
そして、基地局１０Ａは、未変更のＩＱ多重ＲＢに対する、ＰＨＩＣＨグループ番号及び直交系列番号の組み合わせを、ステップＳ３０５にて選択した拡張変更候補に変更する（図１８のステップＳ３０７）。次いで、基地局１０Ａは、ステップＳ２０５へ進む。
【０２１３】
以上、説明したように、第２実施形態の第１変形例の基地局１０Ａによれば、第２実施形態の基地局１０Ａと同様の作用及び効果が奏される。
【０２１４】
更に、第２実施形態の第１変形例の基地局１０Ａは、ＩＱ多重の発生の基となる複数の再送情報のうちの第３の再送情報に対する変更候補数が０である場合、第３の再送情報の送信に使用可能な組み合わせとして拡張変更候補を選択する。拡張変更候補は、第３の再送情報の送信に使用可能な組み合わせとして規則に従って定められた組み合わせの一例である。
【０２１５】
加えて、基地局１０Ａは、選択した拡張変更候補の取得対象に関連付けられた最小ＲＢ番号に対する無線リソースが割り当てられたデータの受信に対する再送情報の送信に使用可能な組み合わせを、取得対象に対する変更候補に変更する。選択した拡張変更候補の取得対象に関連付けられた最小ＲＢ番号に対する無線リソースが割り当てられたデータの受信に対する再送情報は、第４の再送情報の一例である。取得対象に対する変更候補は、第４の再送情報の送信に使用可能な組み合わせとして規則に従って定められた組み合わせのうちのＩＱ多重が発生しない組み合わせの一例である。
更に、基地局１０Ａは、第３の再送情報の送信に用いられる組み合わせを拡張変更候補に変更する。
【０２１６】
これによれば、第３の再送情報に対して、ＩＱ多重を発生しない、使用可能な組み合わせが存在しない場合に、第４の再送情報に対する組み合わせを変更することにより、第３の再送情報に対して、ＩＱ多重を発生しない、使用可能な組み合わせを用意できる。これにより、第３の再送情報に対する組み合わせを変更できるので、ＩＱ多重の発生を抑制できる。この結果、再送情報の受信品質を高めることができる。
【０２１７】
＜第２実施形態の第２変形例＞
次に、第２実施形態の第２変形例の無線通信システムについて説明する。第２実施形態の第２変形例の無線通信システムは、第２実施形態の第１変形例の無線通信システムに対して、拡張変更候補が存在しない場合において上記組み合わせを変更する点において相違している。以下、相違点を中心として説明する。なお、第２実施形態の第２変形例の説明において、第２実施形態の第１変形例にて使用した符号と同じ符号を付したものは、同一又はほぼ同様のものである。
【０２１８】
図１９に例示するように、割当情報の送信を伴うデータの受信に割り当てられた無線リソースに対する最小ＲＢ番号が１０である場合を想定する。この場合において、割当情報の送信を伴わないデータの受信に割り当てられた無線リソースに対する最小ＲＢ番号が、３、７、２３、２６、３４、３８、４３、及び、４６である場合を想定する。
【０２１９】
この場合、最小ＲＢ番号としての１０と、最小ＲＢ番号としての３８と、の差は、ＩＱオフセットである２８に一致する。従って、最小ＲＢ番号が１０及び３８である無線リソースに対してＩＱ多重が発生する。
【０２２０】
この場合、第２実施形態の第１変形例の制御部１１Ａは、ＩＱ多重ＲＢとして、ＲＢ番号が、１０、及び、３８であるＲＢを抽出する。更に、第２実施形態の第１変形例の制御部１１Ａは、ＲＢ番号が１０及び３８であるＩＱ多重ＲＢに対する変更候補数として０を取得する。加えて、第２実施形態の第１変形例の制御部１１Ａは、ＲＢ番号が１０であるＩＱ多重ＲＢに対する各拡張変更候補の取得対象に対する拡張変更候補数として０を取得する。
【０２２１】
このため、第２実施形態の第１変形例の制御部１１Ａは、ＲＢ番号が１０及び３８であるＩＱ多重ＲＢに対する上記組み合わせの変更を実行できない。従って、第２実施形態の第１変形例の制御部１１Ａにおいては、最小ＲＢ番号が１０及び３８である無線リソースに対するＩＱ多重の発生を回避できない。
【０２２２】
そこで、第２実施形態の第２変形例の制御部１１Ａは、抽出したＩＱ多重ＲＢの中で、未変更のＩＱ多重ＲＢが存在し、且つ、拡張変更候補数が０よりも大きい取得対象が存在しない場合、送信電力差抑制処理を実行する。
【０２２３】
以下、送信電力差抑制処理について説明する。
制御部１１Ａは、未変更のＩＱ多重ＲＢに対して暫定選択候補を抽出する。暫定選択候補は、ＩＱ多重ＲＢを識別するＲＢ番号に対して、所定の選択条件を満足する、ＰＨＩＣＨグループ番号及び直交系列番号の組み合わせである。本例では、選択条件は、第１３乃至第１６の条件のすべてを満足する、という条件である。
【０２２４】
第１３の条件は、暫定選択候補を抽出する対象のＲＢ番号により識別されるＲＢが割り当てられたデータの受信が、割当情報の送信を伴って行なわれる、という条件である。
第１４の条件は、暫定選択候補が、パラメータｎＤＭＲＳの値を変更することにより、当該暫定選択候補を抽出する対象のＲＢ番号と上記数式１及び数式２によって関連付けられる複数の組み合わせの１つである、という条件である。
【０２２５】
第１５の条件は、暫定選択候補と同一のＰＨＩＣＨグループ番号及び直交系列番号がいずれの再送情報の送信にも用いられていない、という条件である。
第１６の条件は、暫定選択候補が、既に行なわれた組み合わせの変更における、変更前の組み合わせ及び変更後の組み合わせと異なる組み合わせである、という条件である。
なお、選択条件は、第１３乃至第１５の条件のすべてを満足する、という条件であってもよい。
【０２２６】
制御部１１Ａは、未変更のＩＱ多重ＲＢに対して抽出した暫定選択候補、及び、当該ＩＱ多重ＲＢのＲＢ番号と上記数式１及び数式２によって関連付けられる組み合わせ、のそれぞれを選択候補として取得する。
【０２２７】
上述した場合において、制御部１１Ａは、ＲＢ番号が１０であるＩＱ多重ＲＢに対して、１０、１８、３５、及び、５１であるＲＢ番号と図１９にて対応する、ＰＨＩＣＨグループ番号及び直交系列番号の組み合わせのそれぞれを選択候補として取得する。
【０２２８】
制御部１１Ａは、取得した選択候補のそれぞれに対する送信電力差を取得する。送信電力差は、未変更のＩＱ多重ＲＢに対する再送情報の送信電力と、当該選択候補とともにＩＱ多重を発生する組み合わせを用いて送信される再送情報の送信電力と、の差の絶対値である。当該選択候補とともにＩＱ多重を発生する組み合わせを用いて送信される再送情報は、当該選択候補を用いて再送情報が送信されるという仮定下で当該再送情報とともにＩＱ多重を発生する基となる再送情報の一例である。
【０２２９】
上述した場合において、制御部１１Ａは、３８、４６、７、及び、２３であるＲＢ番号と図１９にて対応する、ＰＨＩＣＨグループ番号及び直交系列番号の組み合わせのそれぞれに対する送信電力差ΔＰ３８、ΔＰ４６、ΔＰ７、及び、ΔＰ２３をそれぞれ取得する。送信電力差ΔＰ３８、ΔＰ４６、ΔＰ７、及び、ΔＰ２３は、数式７乃至数式１０によりそれぞれ表される。
【数７】
2016127439.tif 000009
【数８】
2016127439.tif 000010
【数９】
2016127439.tif 000011
【数１０】
2016127439.tif 000012
【０２３０】
Ｐ１０、Ｐ３８、Ｐ４６、Ｐ７、及び、Ｐ２３は、それぞれ、１０、３８、４６、７、及び、２３であるＲＢ番号と図１９にて対応する、ＰＨＩＣＨグループ番号及び直交系列番号の組み合わせを用いて送信される再送情報の送信電力を表す。
【０２３１】
制御部１１Ａは、未変更のＩＱ多重ＲＢに対する、ＰＨＩＣＨグループ番号及び直交系列番号の組み合わせを、取得した送信電力差が最小である選択候補に変更する。
上述した場合において、５１であるＲＢ番号と図１９にて対応する、ＰＨＩＣＨグループ番号及び直交系列番号の組み合わせである選択候補に対する送信電力差ΔＰ２３が最小である場合を想定する。この場合、制御部１１Ａは、図１９に示すように、ＲＢ番号が１０であるＩＱ多重ＲＢに対するＰＨＩＣＨグループ番号及び直交系列番号の組み合わせを、選択候補であるＰＨＩＣＨグループ番号及び直交系列番号がそれぞれ２及び７である組み合わせに変更する。
【０２３２】
なお、１０であるＲＢ番号と図１９にて対応する、ＰＨＩＣＨグループ番号及び直交系列番号の組み合わせである選択候補に対する送信電力差ΔＰ３８が最小である場合、制御部１１Ａは、ＲＢ番号が１０であるＩＱ多重ＲＢに対する組み合わせを変更しない。
このようにして、送信電力差抑制処理が実行される。
【０２３３】
（動作）
第２実施形態の第２変形例の無線通信システム１Ａの動作について説明する。
基地局１０Ａは、図１８の処理に代えて、図１８の処理の、ステップＳ３０５からステップＳ３０７の処理を、図２０に例示するステップＳ４０１からステップＳ４０７の処理に置換した処理を実行する。
【０２３４】
基地局１０Ａは、図１８のステップＳ３０４の処理を実行した後、取得した拡張変更候補数が０よりも大きい拡張変更候補が存在するか否かを判定する（図２０のステップＳ４０１）。
取得された拡張変更候補数が０よりも大きい拡張変更候補が存在する場合、基地局１０Ａは、「Ｙｅｓ」と判定し、取得された拡張変更候補数が最小である拡張変更候補を選択する（図２０のステップＳ４０２）。そして、基地局１０Ａは、図１８のステップＳ３０６及びステップＳ３０７の処理と同じ処理を実行する（図２０のステップＳ４０３及びステップＳ４０４）。次いで、基地局１０Ａは、図１８のステップＳ２０５へ進む。
【０２３５】
取得された拡張変更候補数が０よりも大きい拡張変更候補が存在しない場合、基地局１０Ａは、ステップＳ４０１にて「Ｎｏ」と判定する。そして、基地局１０Ａは、未変更のＩＱ多重ＲＢに対して選択候補を取得し、取得した選択候補のそれぞれに対して、送信電力差を取得する（図２０のステップＳ４０５）。
【０２３６】
そして、基地局１０Ａは、取得した送信電力差が最小である選択候補を選択する（図２０のステップＳ４０６）。次いで、基地局１０Ａは、未変更のＩＱ多重ＲＢに対する、ＰＨＩＣＨグループ番号及び直交系列番号の組み合わせを、選択した選択候補に変更する（図２０のステップＳ４０７）。次いで、基地局１０Ａは、ステップＳ２０５へ進む。
【０２３７】
以上、説明したように、第２実施形態の第２変形例の基地局１０Ａによれば、第２実施形態の第１変形例の基地局１０Ａと同様の作用及び効果が奏される。
【０２３８】
更に、第２実施形態の第２変形例の基地局１０Ａは、ＩＱ多重の発生の基となる複数の再送情報のうちの第５の再送情報に対する変更候補数が０である場合、第５の再送情報の送信に使用可能な組み合わせとして選択候補を取得する。選択候補は、第５の再送情報の送信に使用可能な組み合わせとして規則に従って定められた、少なくとも１つの組み合わせの一例である。
【０２３９】
加えて、基地局１０Ａは、取得した選択候補のそれぞれに対して送信電力差を取得し、第５の再送情報の送信に用いられる組み合わせを、選択候補のうちの、取得された送信電力差が最小である選択候補に変更する。
【０２４０】
ＩＱ多重が発生する基となる第１及び第２の再送情報の送信電力の差が大きくなるほど、第１及び第２の再送情報のうちの送信電力が小さい方の再送情報が誤って受信される確率が高くなる。従って、第２実施形態の第２変形例の基地局１０Ａによれば、ＩＱ多重が発生する基となる第１及び第２の再送情報の両方が正しく受信される確率を高めることができる。換言すると、再送情報の受信品質の低下を抑制できる。
【符号の説明】
【０２４１】
１，１Ａ  無線通信システム
１０，１０Ａ  基地局
１１，１１Ａ  制御部
１２    送信部
１２ａ  送信アンテナ
１３    受信部
１３ａ  受信アンテナ
２０    無線機器
２１    制御部
２２    受信部
２２ａ  受信アンテナ
２３    送信部
２３ａ  送信アンテナ
ＮＷ    通信網
【図１】
2016127439.tif 000013
【図２】
2016127439.tif 000014
【図３】
2016127439.tif 000015
【図４】
2016127439.tif 000016
【図５】
2016127439.tif 000017
【図６】
2016127439.tif 000018
【図７】
2016127439.tif 000019
【図８】
2016127439.tif 000020
【図９】
2016127439.tif 000021
【図１０】
2016127439.tif 000022
【図１１】
2016127439.tif 000023
【図１２】
2016127439.tif 000024
【図１３】
2016127439.tif 000025
【図１４】
2016127439.tif 000026
【図１５】
2016127439.tif 000027
【図１６】
2016127439.tif 000028
【図１７】
2016127439.tif 000029
【図１８】
2016127439.tif 000030
【図１９】
2016127439.tif 000031
【図２０】
2016127439.tif 000032